(57)【特許請求の範囲】
【請求項１】
制御基板を有する基板ユニットを備えた遊技機において、
前記基板ユニットは、遊技機筐体内側に配置され、
前記基板ユニットの主要部分は熱可塑性樹脂により構成され、前記制御基板を内部に収納する基板ケースを有し、
前記基板ケースは、互いに組み合わされて前記制御基板を収納するカバー部及びベース部と、を有し、
前記基板ユニットは、組み合わされた前記カバー部及び前記ベース部が分離困難となるように規制する第１規制部と、前記基板ケースが前記遊技機筐体から分離困難となるように規制する第２規制部と、のうち少なくとも一方を有し、
前記第１規制部及び前記第２規制部に関する情報の少なくとも一方を示す規制部文字情報が、前記基板ユニットにおける前記第１規制部及び前記第２規制部それぞれの周辺に形成され、
前記基板ユニットの材質を示す材質文字情報が、前記基板ユニットに形成され、
前記規制部文字情報及び前記材質文字情報は互いに同じ文字を少なくとも１つ有し、
前記基板ユニットを表側から見た場合に、前記規制部文字情報は正しく見えるように形成され、前記材質文字情報は正しく見えないように形成されている、ことを特徴とする遊技機。
【請求項２】
前記基板ユニットを表側から見た場合に、前記材質文字情報は左右反転して見えるように形成されている、ことを特徴とする請求項１記載の遊技機。
【請求項３】
前記基板ユニットに貼り付けられたシールを備え、
前記シールは、前記材質文字情報の少なくとも一部を覆うように貼り付けられ、
前記シールが貼り付けられた箇所は、前記シールが貼り付けられていない状態に比べて視認性が低下している、ことを特徴とする請求項１又は請求項２記載の遊技機。
【請求項４】
前記制御基板はメイン制御基板であり、
前記基板ユニットは、前記遊技機筐体内側の設置面に設置され、前記基板ケースは前記設置面に対して回動可能であり、
さらに、サブ制御基板を有するサブ制御基板ユニットを備え、
前記サブ制御基板ユニットは、前記遊技機筐体内側に設置され、この設置された面に対して回動可能であるサブ制御基板ケースを有し、
前記基板ケース及び前記サブ制御基板ケースは隣接して配置され、
前記カバー部は前記基板ケースの表側に配置され、
前記ベース部は前記基板ケースの裏側に配置され、
前記カバー部及び前記ベース部は、熱可塑性樹脂により構成されて透過性を有し、前記基板ケースは外部から内部を視認可能であり、
前記サブ制御基板ケースは、熱可塑性樹脂により構成されて透過性を有するサブ制御基板ケース表側部材及び熱可塑性樹脂により構成されて透過性を有するサブ制御基板ケース裏側部材を有し、外部から内部を視認可能であり、
前記サブ制御基板ケース表側部材及び前記サブ制御基板ケース裏側部材が前記サブ制御基板の外側を覆うように配置されることで前記サブ制御基板が前記サブ制御基板ケースに収納されていて、
前記基板ケースは、前記設置面に、前記基板ケースの裏側面が近接して対向配置された第１保持位置を有し、前記第１保持位置から回動されることにより前記基板ケースの裏側面が露出し、
前記サブ制御基板ケースは、前記遊技機筐体内側における前記サブ制御基板ユニットが設置された面に、前記サブ制御基板ケースの裏側面が近接して対向配置された第２保持位置を有し、前記第２保持位置から回動されることにより前記サブ制御基板ケースの裏側面が露出し、
前記サブ制御基板ケース表側部材における外部から内部の視認性は、前記サブ制御基板ケース裏側部材における外部から内部の視認性よりも低く、
前記カバー部及び前記ベース部における外部から内部の視認性は、前記サブ制御基板ケース裏側部材における外部から内部の視認性と略同じである、ことを特徴とする請求項１から請求項３のいずれか１つに記載の遊技機。
【発明の詳細な説明】
【技術分野】
【０００１】
本発明は、制御基板を収納する基板ケースを備えた遊技機に関する。
【背景技術】
【０００２】
パチンコ機やスロットマシンに代表される遊技機において、廃棄される場合には、構成部材のリサイクルが行われる。そこで、構成部材を材質ごとに分別しやすくするため、各構成部材に材質を表記することがなされている。例えば、メイン制御基板を収納する基板ケースは、ＡＢＳ（アクリロニトリル・ブタジエン・スチレン共重合樹脂）やＰＣ（ポリカーボネート）といった樹脂により構成されることから、基板ケースには、「ＡＢＳ」や「ＰＣ」との表記がなされている。なお、基板ケース内のメイン制御基板を不正に改造する不正行為が行われた場合に、不正行為が行われたことを発見しやすい構造とするために、メイン制御基板を収納する基板ケースは一般的に透明とされる。このように、基板ケースは透明であることから、「ＡＢＳ」や「ＰＣ」の表記がなされていたとしても、表記された部分が見にくいとの問題があった。しかし、特許文献１に記載されているように、構成部材に記された記号部分を視認しやすくする技術が提案されている。
【０００３】
ここで、メイン制御基板を収納する基板ケースや基板ケースに連結する部材を有する基板ユニットは、メイン制御基板を不正に入れ替えたり不正に改造したりすることができないように、容易に開放や分解できない構成とされる。例えば、基板ケースにはカシメ構造が設けられており、基板ケースを開放してメイン制御基板に改造を行うことは困難である。具体的には、ベース部及びカバー部からなる基板ケース内にメイン制御基板を収納した後に、ベース部及びカバー部にカシメピン（カシメ構造）を挿入することにより、ベース部及びカバー部が分離困難となる。また、このカシメピンは、ベース部及びカバー部から抜去困難である。このような構成であることから、ベース部及びカバー部を分離して基板ケースを開放するためにはカシメピン等を破壊する必要がある。したがって、不正行為者が、メイン制御基板に不正改造を行うために基板ケースを開放した場合は、基板ケースを元通りの状態に戻すことが困難である。これにより、不正行為が行われたことを容易に認識することができる。
【先行技術文献】
【特許文献】
【０００４】
【特許文献１】特開２００４−１６０００９号公報
【発明の概要】
【発明が解決しようとする課題】
【０００５】
ところで、このようなカシメ構造は、基板ユニットにおいて複数設置されていることが一般的であり、それぞれ区別するために、各カシメ構造の近傍には、「Ａ」、「Ｂ」・・・というようにアルファベット表記とされている。上述したように、基板ケース等の構成部材の材質の表記についてもアルファベットで「ＡＢＳ」や「ＰＣ」と表記されることから、カシメ構造を区別するための表記と材質の表記とを、見間違える可能性があるとの問題があった。
【０００６】
本発明は、このような問題に鑑みてなされたものであり、その目的は、材質を示す表記と、カシメ構造を示す表記とが、見間違えられることを抑制する遊技機を提供することである。
【課題を解決するための手段】
【０００７】
本発明の一態様に係る遊技機は、
制御基板を有する基板ユニットを備えた遊技機において、
前記基板ユニットは、遊技機筐体内側に配置され、
前記基板ユニットの主要部分は熱可塑性樹脂により構成され、前記制御基板を内部に収納する基板ケースを有し、
前記基板ケースは、互いに組み合わされて前記制御基板を収納するカバー部及びベース部と、を有し、
前記基板ユニットは、組み合わされた前記カバー部及び前記ベース部が分離困難となるように規制する第１規制部と、前記基板ケースが前記遊技機筐体から分離困難となるように規制する第２規制部と、のうち少なくとも一方を有し、
前記第１規制部及び前記第２規制部に関する情報の少なくとも一方を示す規制部文字情報が、前記基板ユニットにおける前記第１規制部及び前記第２規制部それぞれの周辺に形成され、
前記基板ユニットの材質を示す材質文字情報が、前記基板ユニットに形成され、
前記規制部文字情報及び前記材質文字情報は互いに同じ文字を少なくとも１つ有し、
前記基板ユニットを表側から見た場合に、前記規制部文字情報は正しく見えるように形成され、前記材質文字情報は正しく見えないように形成されている、ことを特徴とする。
【０００８】
上記遊技機によれば、基板ユニットを表側から見た場合に、規制部文字情報は正しく見えるように形成され、材質文字情報は正しく見えないように形成されていることから、規制部文字情報及び材質文字情報が誤って認識されることを抑制することができる。特に、規制部文字情報及び材質文字情報は互いに同じ文字を少なくとも１つ有しているため、この文字に関して見誤る可能性が高いはずであるが、上記発明によれば、上述したように基板ユニットを表側から見た場合に、規制部文字情報は正しく見えるように形成され、材質文字情報は正しく見えないように形成されていることから、これらを見誤ることを抑制することができる。ここで、規制部文字情報や、材質文字情報について、正しく見えるとは、その外形を容易に認識できることをいい、正しく見えないとは、その外形を容易に認識できないことをいう。なお、文字情報が単に回転して形成されており、この文字情報を回転させることにより正規の状態となり正しく見える場合は、正しく見えるように形成されているといえる。これに対して、文字情報を回転させても正規の状態とならない場合は、正しく見えないように形成されているといえる。例えば、基板ユニットを表側から見た場合に、正規の状態の規制部文字情報の上下左右が反転して見えるように形成されている場合は、基板ユニットを１８０度回転させて表側から見た場合に、正規の状態の規制部文字情報となることから、規制部文字情報は正しく見えるように形成されているといえる。これに対して、基板ユニットを表側から見た場合に、材質文字情報は正しく見えないように形成されていることから、基板ユニットを回転させたとしても、基板ユニットを表側から見た場合に材質文字情報が正規の状態に見えることはない。なお、基板ユニットを構成する複数の部材が、互いに異なる材質である場合は、各部材の材質を示す材質文字情報が形成されている。
【０００９】
また、上記遊技機において、
前記基板ユニットを表側から見た場合に、前記材質文字情報は左右反転して見えるように形成されている、こととしてもよい。
【００１０】
このように、上記遊技機によれば、基板ユニットを表側から見た場合に、材質文字情報は左右反転して見えるように形成されていることから、基板ユニットを表側から見た場合には、材質文字情報は正しく見えないが、基板ユニットを裏側から見た場合には、材質文字情報は正しく見える。言い換えると、基板ユニットを表側から見た場合には、材質文字情報は容易に認識できないが、裏側から見た場合には、材質文字情報は容易に認識できる。ここで、一般的に材質文字情報を確認する場合は、遊技機が廃棄されて各構成部材のリサイクルのために仕分ける際である。つまり、基板ユニットが遊技機筐体から取りはずされている状態であり、基板ユニットの裏面側も視認しやすい状況であることから、左右反転した状態ではなく正しい状態の材質文字情報を容易に確認することができる。これに対して、規制部文字情報は、基板ユニットが遊技機筐体内に設置されている状態における点検作業において確認される。したがって、規制部文字情報は、基板ユニットを表側から見た状態で確認されることとなる。上記発明によれば、基板ユニットを表側から見た場合に、規制部文字情報は正しく見えるように形成されていることから、作業者は規制文字情報を確認しやすく、これに対して材質文字情報は左右反転して見えるため作業者は確認しにくく、これらを誤って認識することが抑制される。なお、左右反転して見えるとは、いわゆる鏡文字として見えるということである。
【００１１】
また、上記遊技機において、
前記基板ユニットに貼り付けられたシールを備え、
前記シールは、前記材質文字情報の少なくとも一部を覆うように貼り付けられ、
前記シールが貼り付けられた箇所は、前記シールが貼り付けられていない状態に比べて視認性が低下している、こととしてもよい。
【００１２】
このように、上記遊技機によれば、基板ユニットに貼り付けられたシールが材質文字情報の少なくとも一部を覆うように貼り付けられ、シールが貼り付けられた箇所は、シールが貼り付けられていない状態に比べて視認性が低下していることから、材質文字情報において、シールが貼り付けられた箇所は見にくくなっている。そのため、規制文字情報に比べて材質文字情報は、その外形を容易に認識されにくい。言い換えると、基板ユニットを表側から見た場合に、材質文字情報は正しく見えない。これにより、作業者は、材質文字情報に比べて、規制部文字情報をより確実に認識しやすくなることから区別しやすく、規制部文字情報及び材質文字情報が誤って認識されることを抑制することができる。なお、一般的に材質文字情報を確認する場合は、遊技機が廃棄されて各構成部材のリサイクルのために仕分ける際である。つまり、基板ユニットが遊技機筐体から取りはずされて、基板ユニットを構成する各構成部品が分離されることから、シールも剥がされた状態で、材質文字情報を確認することとなる。したがって、材質文字情報のすべてを見ることができ、材質文字情報を容易に確認することができる。これに対して、規制部文字情報は、基板ユニットが遊技機筐体内に設置されている状態における点検作業において確認されることとなる。上記発明によれば、点検作業において規制部文字情報は正しく認識できるが、材質文字情報の少なくとも一部はシールにより覆われて視認性が低下していることから、材質文字情報は認識されにくい。このように、作業者は規制文字情報を確認しやすく、材質文字情報を確認しにくいことから、これらを誤って認識することが抑制される。
【００１３】
また、上記遊技機において、
前記制御基板はメイン制御基板であり、
前記基板ユニットは、前記遊技機筐体内側の設置面に設置され、前記基板ケースは前記設置面に対して回動可能であり、
さらに、サブ制御基板を有するサブ制御基板ユニットを備え、
前記サブ制御基板ユニットは、前記遊技機筐体内側に設置され、この設置された面に対して回動可能であるサブ制御基板ケースを有し、
前記基板ケース及び前記サブ制御基板ケースは隣接して配置され、
前記カバー部は前記基板ケースの表側に配置され、
前記ベース部は前記基板ケースの裏側に配置され、
前記カバー部及び前記ベース部は、熱可塑性樹脂により構成されて透過性を有し、前記基板ケースは外部から内部を視認可能であり、
前記サブ制御基板ケースは、熱可塑性樹脂により構成されて透過性を有するサブ制御基板ケース表側部材及び熱可塑性樹脂により構成されて透過性を有するサブ制御基板ケース裏側部材を有し、外部から内部を視認可能であり、
前記サブ制御基板ケース表側部材及び前記サブ制御基板ケース裏側部材が前記サブ制御基板の外側を覆うように配置されることで前記サブ制御基板が前記サブ制御基板ケースに収納されていて、
前記基板ケースは、前記設置面に、前記基板ケースの裏側面が近接して対向配置された第１保持位置を有し、前記第１保持位置から回動されることにより前記基板ケースの裏側面が露出し、
前記サブ制御基板ケースは、前記遊技機筐体内側における前記サブ制御基板ユニットが設置された面に、前記サブ制御基板ケースの裏側面が近接して対向配置された第２保持位置を有し、前記第２保持位置から回動されることにより前記サブ制御基板ケースの裏側面が露出し、
前記サブ制御基板ケース表側部材における外部から内部の視認性は、前記サブ制御基板ケース裏側部材における外部から内部の視認性よりも低く、
前記カバー部及び前記ベース部における外部から内部の視認性は、前記サブ制御基板ケース裏側部材における外部から内部の視認性と略同じである、こととしてもよい。
【００１４】
このように、上記遊技機によれば、サブ制御基板ケース表側部材における外部から内部の視認性は、サブ制御基板ケースの裏側面における外部から内部の視認性よりも低く、基板ケースの表側であるカバー部及び裏側であるベース部における外部から内部の視認性は、サブ制御基板ケースの裏側面における外部から内部の視認性と略同じであることから、サブ制御基板ケースの表側面における外部から内部の視認性は、基板ケースの表側であるカバー部における外部から内部の視認性よりも低いといえる。また、基板ケース及びサブ制御基板ケースは、隣接して配置されている。これにより、これら基板ケース及びサブ制御基板ケースがそれぞれ第１保持位置及び第２保持位置にある状態で、これら基板ケース及びサブ制御基板ケースを表側から見た場合に、視覚により容易にこれらの違いを認識できる。具体的には、基板ケース及びサブ制御基板ケースを表側面から見た場合において、第１保持位置にある基板ケースは第２保持位置にあるサブ制御基板ケースに比べてケース内の状態を把握しやすい。点検作業の際、前扉を開けた状態では、基板ケースは第１保持位置にあり、サブ制御基板ケースは第２保持位置にあることから、作業者は、サブ制御基板ケース内の状態は認識しにくいが、基板ケース内の状態は認識しやすく、基板ケース内に収納された基板に実装されたＲＯＭやＣＰＵ等の電子部品が目に付くことから、メイン制御基板であることを容易に認識でき、速やかに基板ケースを特定することができる。このため、制御基板等に不正な改造等が行われていないことを確認するための点検作業において、作業者は迷うことなく、速やかに、不正行為が行われる可能性の高いメイン制御基板が収納されている基板ケースを確認することができ、点検作業を効率よく行うことができる。このように、点検作業に係る時間が増加することを抑制することができ、効率よく点検作業を行うことができる。
【００１５】
また、上述したように、基板ケース及びサブ制御基板ケースを表側面から見ることで、作業者は、いずれがメイン制御基板を有する基板ケースであるかを認識できる。そのため、基板ケース及びサブ制御基板ケースの裏側を点検する場合は、作業者は基板ケース及びサブ制御基板ケースを区別して認識できている。ここで、ベース部における外部から内部の視認性は、サブ制御基板ケース裏側部材における外部から内部の視認性と略同じであることから、基板ケース及びサブ制御基板ケースを裏側面から見た場合は、これらの区別がつきにくいといえる。しかし、基板ケース及びサブ制御基板ケースの裏側を点検する際は、すでに、作業者は、基板ケース及びサブ制御基板ケースを区別して認識できている。そのため、作業者はこれらを間違ったり、確認に時間が取られたりすることなく、速やかに点検作業を行うことができる。また、基板ケースの裏側面から内部への視認性及びサブ基板ケースの裏側面から内部への視認性は、比較的高いことから、作業者はこれらの点検を行いやすい。
【００１６】
また、基板ケース及びサブ制御基板ケースをそれぞれ第１保持位置及び第２保持位置から回動させたとしても、基板ケース及びサブ制御基板ケースの裏側は表側に比べて外光が到達しにくいといえるが、ベース部における外部から内部の視認性は、サブ制御基板ケース裏側部材における外部から内部の視認性と略同じであり、サブ制御基板ケース表側部材における外部から内部の視認性よりも高いことから、基板ケース及びサブ制御基板ケースの裏側面においても容易に点検できる。
【００１７】
また、基板ユニット及びサブ制御基板ユニットにおいて、基板ケース及びサブ制御基板ケースの回転軸が同一である場合は、サブ制御基板ケースの裏側から、メイン制御基板が収納されている基板ケースに不正に配線を接続する等の不正行為についても容易に発見することができる。
【図面の簡単な説明】
【００１８】
【図１】本発明の実施形態１に係る遊技機の外観構成を示す正面図である。
【図２】本発明の実施形態１に係る遊技機の内部構成を示す前扉が開かれた状態の斜視図である。
【図３】本発明の実施形態１に係るメイン制御基板ユニット及びサブ制御基板ユニットの外観構成を示す斜視図である。
【図４】本発明の実施形態１に係るメイン制御基板ケースが展開位置にある場合のメイン制御基板ユニットの外観構成を示す斜視図である。
【図５】本発明の実施形態１に係るメイン制御基板ケースの構成を示す分解斜視図である。
【図６】本発明の実施形態１に係るメイン制御基板ケースにおけるカシメ部分の構成を示す分解斜視図である。
【図７】本発明の実施形態１に係るメイン制御基板ケースにおけるカシメ部分の構成を示す断面図である。
【図８】本発明の実施形態１に係るケース支持部とメイン制御基板ケースとの構成を示す分解斜視図である。
【図９】本発明の実施形態１に係るカシメ情報及び材質情報の外観構成を示す拡大図であって、図９（ａ）はカシメ情報を示す拡大図であり、図９（ｂ）は材質情報を示す拡大図である。
【図１０】本発明の実施形態１に係る材質情報の他の実施形態における外観構成を示す拡大図である。
【図１１】本発明の実施形態１に係るカシメ情報及び材質情報の他の実施形態における外観構成を示す拡大図であって、図１１（ａ）はカシメ情報を示す拡大図であり、図１１（ｂ）は材質情報を示す拡大図である。
【図１２】本発明の実施形態１に係るカシメ情報の他の実施形態における外観構成を示す拡大図である。
【図１３】本発明の実施形態１に係るサブ制御基板ケースが展開位置にある場合のサブ制御基板ユニットの外観構成を示す斜視図である。
【図１４】本発明の実施形態１に係るサブ制御基板ケースの構成を示す分解斜視図である。
【図１５】本発明の実施形態１に係るケース支持部とサブ制御基板ケースとの構成を示す分解斜視図である。
【図１６】本発明の実施形態１に係る別の形態のメイン制御基板ケースが展開位置にある場合のメイン制御基板ユニットの外観構成を示す斜視図である。
【図１７】本発明の実施形態１に係るさらに別の形態のケース支持部とメイン制御基板ケースとの構成を示す分解斜視図である。
【図１８】図１７に示す分解斜視図における各部品が組み合わされた際の拡大正面図であって、図１８（ａ）は取付板の拡大正面図であり、図１８（ｂ）は材質情報が形成された周辺の拡大正面図である。
【図１９】本発明の実施形態２に係るメイン制御基板ユニット及びサブ制御基板ユニットの外観構成を示す斜視図である。
【図２０】本発明の実施形態２に係るメイン制御基板ケース及びサブ制御基板ケースが展開位置にある場合の外観構成を示す斜視図である。
【発明を実施するための形態】
【００１９】
本発明の遊技機の実施形態について、図面を参照しながら、具体的に説明する。なお、以下の説明において、本発明の実施形態に係る遊技機として回胴式遊技機を例に挙げて説明するが、本発明の遊技機は、パチンコ遊技機等の他の遊技機であってもかまわない。
【００２０】
また、以下に示す本発明に係る実施形態の説明に用いる図面においてｘ軸、ｙ軸及びｚ軸を示している場合がある。これらの図面において、ｘ軸は遊技機における左右方向を示し、ｙ軸は遊技機における前後方向を示し、ｚ軸は遊技機における上下方向を示している。具体的には、ｘ軸方向正側を遊技機の正面に向かって「右」側、ｘ軸方向負側を遊技機の正面に向かって「左」側、ｙ軸方向正側を遊技機の「後」側、ｙ軸方向負側を遊技機の「前」側、ｚ軸方向正側を遊技機の「上」側、ｚ軸方向負側を遊技機の「下」側とする。
【００２１】
（実施形態１）
本発明の実施形態１に係る遊技機について図面を用いて説明する。図１は、本発明の実施形態１に係る遊技機の外観構成を示す正面図である。また、図２は、本発明の実施形態１に係る遊技機の内部構成を示す前扉が開かれた状態の斜視図である。なお、本実施形態１に係る遊技機は回胴式の遊技機である。
【００２２】
（遊技機の全体構成の説明）
図１に示すように、遊技機１０は、その前面側に、メダルを投入するためのメダル投入口１１と、メダルを払い出すためのメダル払出口１２と、その外周面に図柄が描かれた３本のリール１３、１４、１５と、映像演出を行うための液晶ディスプレイ１６と、照明演出を行うための発光ランプ（図示省略）と、音声演出を行うためのスピ−カー１７等を備えたものとなっており、操作部として、１遊技当たりの最大枚数（通常３枚）のメダルをベットするためのマックスベットボタン１８と、ベットするメダルを１枚ずつ増加するためのシングルベットボタン１９と、リール１３、１４、１５の回転を開始するためのスタートレバー２０と、リール１３、１４、１５の回転をそれぞれ停止するための３個のストップボタン２１、２２、２３と、演出を切り替えるためのチャンスボタン２４と、クレジットされたメダルを払い戻すための払戻しボタン２５等を有するものとなっている。
【００２３】
この遊技機１０は、メダルのクレジット枚数が所定枚数以上となった状態でスタートレバー２０が操作されると、役抽選が実行されるとともにリール１３、１４、１５が一斉に回転を開始し、ストップボタン２１、２２、２３がそれぞれ操作されると、操作されたストップボタン２１、２２、２３に対応するリール１３、１４、１５の回転が停止し、すべてのリール１３、１４、１５が停止したときにリール窓１０ｂ１の有効ライン上に表示される図柄の組み合わせが役抽選で当選した役に対応したものとなっていた場合（入賞した場合）は、その役に応じた枚数のメダルが払い出される。なお、メダルのクレジット枚数が上限値に達しているときには、ホッパーユニット３６（図２を参照）から送出されたメダルがメダル払出口１２を通じて払い出されるようになっている。つまり、上限値を超えてメダルを投入することができない。一方、メダルのクレジット枚数が上限値に達していない場合は、メダル投入口１１にメダルが投入されるか、又は、入賞によってメダルが払い出された場合にメダルのクレジット枚数が増加するようになっている。
【００２４】
図２に示すように、遊技機１０は、前方が開放された箱状である筺体本体１０ａと、筺体本体１０ａの前面側に開閉可能な状態で取り付けられた前扉１０ｂとで構成された遊技機筺体（筺体本体１０ａ及び前扉１０ｂ）の内部に各種の機器が収納されたものとなっている。本実施形態１において、遊技機筺体の内部には、メイン制御基板ユニット（基板ユニット）１００、サブ制御基板ユニット（サブ制御基板ユニット）２００、液晶ユニット３２、電源ユニット３３、コネクタユニット３４、リールユニット３５及びホッパーユニット３６等が納められている。
【００２５】
なお、図２においては図示していないが、メイン制御基板ユニット１００はメイン制御基板ケース（基板ケース）１４０（図３を参照）を備え、このメイン制御基板ケース１４０内に、役抽選、入賞判定及び遊技動作等、遊技における基本的な制御を行う電子基板であるメイン制御基板（制御基板）１４３（図５を参照）が収納されている。また、同様に、図２においては図示していないが、サブ制御基板ユニット２００は、サブ制御基板ケース（サブ制御基板ケース）２４０（図３を参照）を備え、このサブ制御基板ケース２４０内に、発光ランプや音声による演出等、遊技における演出に関する制御を行う電子基板であるサブ制御基板２４３（図１４を参照）を備えている。液晶ユニット３２は、液晶ディスプレイ１６（図１を参照）に表示される映像による演出に関する制御を行う電子基板（映像基板）を備えている。電源ユニット３３は、遊技機１０における各機器に電力を供給する電子基板（電源基板）を備えている。コネクタユニット３４は、特定の機器に接続されたケーブルを仲介する電子基板（仲介基板）を備えている。リールユニット３５は、リール１３、１４、１５の回転をそれぞれ独立して制御する電子基板（リール制御基板）を備えている。ホッパーユニット３６は、メダル投入口１１（図１を参照）に投入されたメダルを回収するとともに、メイン制御基板１４３からの信号に基づいてメダル払出口１２（図１を参照）へメダルを送出する制御を行う電子基板（ホッパー制御基板）を備えている。
【００２６】
メイン制御基板ユニット１００及びサブ制御基板ユニット２００は、筺体本体１０ａの上方において筺体本体１０ａの背板１０ｃに左右に並んで隣接して設置されている。具体的には、メイン制御基板ユニット１００が左側に配置され、サブ制御基板ユニット２００が右側に配置されている。また、これらの下方において背板１０ｃにリールユニット３５が設置されている。また、リールユニット３５の下方において電源ユニット３３及びホッパーユニット３６が配置されている。これら電源ユニット３３及びホッパーユニット３６は筺体本体１０ａの底板上に載置されている。また、液晶ユニット３２及びコネクタユニット３４は、前扉１０ｂに設置されている。
【００２７】
（メイン制御基板ユニット及びサブ制御基板ユニットの概略構成の説明）
本実施形態１に係るメイン制御基板ユニット及びサブ制御基板ユニットの概略構造について、図面を用いて説明する。図３は、本発明の実施形態１に係るメイン制御基板ユニット及びサブ制御基板ユニットの外観構成を示す斜視図である。
【００２８】
図３に示すように、メイン制御基板ユニット１００は、メイン制御基板ケース１４０と、ケース支持部１１０と、を備えている。これらメイン制御基板ケース１４０及びケース支持部１１０は、２つの蝶番１１２を介して連結されている。したがって、蝶番１１２によって、ケース支持部１１０に対してメイン制御基板ケース１４０は回動することが可能である。なお、この回動における回転軸１２８は蝶番１１２の回転軸と同一である。また、ケース支持部１１０は背板１０ｃである設置面３７に固定されて設置されているが、メイン制御基板ケース１４０は設置面３７である背板１０ｃに対して回動可能であるように設置されている。なお、メイン制御基板ユニット１００の詳細については、後述する。
【００２９】
また、図３に示すように、サブ制御基板ユニット２００は、サブ制御基板ケース２４０と、ケース支持部２１０と、を備えている。これらサブ制御基板ケース２４０及びケース支持部２１０は、２つの蝶番２１２を介して連結されている。したがって、蝶番２１２によって、ケース支持部２１０に対してサブ制御基板ケース２４０は回動することが可能である。なお、この回動における回転軸２２８は蝶番２１２の回転軸と同一である。また、ケース支持部２１０は背板１０ｃである設置面３７に固定されて設置されているが、サブ制御基板ケース２４０は設置面３７である背板１０ｃに対して回動可能であるように設置されている。また、詳細は後述するが、サブ制御基板ケース２４０の前面側であるカバー部（サブ制御基板ケース表側部材）２４２は黒色系であり、カバー部２４２においてサブ制御基板ケース２４０の外部から内部の視認性は比較的低い。ただし、カバー部２４２は透明であり、カバー部２４２においてサブ制御基板ケース２４０の外部から内部を視認することは可能である。なお、サブ制御基板ユニット２００の詳細については、後述する。
【００３０】
（メイン制御基板ユニットの構成の説明）
本実施形態１に係るメイン制御基板ユニット１００の構成について図面を用いて説明する。図４は、本発明の実施形態１に係るメイン制御基板ケースが展開位置にある場合のメイン制御基板ユニットの外観構成を示す斜視図である。
【００３１】
上述したように、メイン制御基板ケース１４０は設置面３７である背板１０ｃに対して回動可能である。具体的には、図３に示すように、メイン制御基板ケース１４０は、メイン制御基板ケース１４０の裏側であるベース部１４１側が設置面３７に対向して近接配置されて露出されていない第１保持位置から、設置面３７に対して回動されて、図４に示すように、ベース部１４１が露出された展開位置へと回動可能である。ここで、メイン制御基板ケース１４０が、設置面３７に対して略９０度の角度となる位置を展開位置という。なお、メイン制御基板ケース１４０が展開位置にある場合は、作業者が点検を行う際に、メイン制御基板ケース１４０の裏側面を容易に視認可能であり、メイン制御基板ケース１４０の裏側面から容易にメイン制御基板ケース１４０を点検することができる。なお、メイン制御基板ケース１４０は、設置面３７に対して略９０度以上回動することが好ましい。なお、メイン制御基板ケース１４０において、カバー部１４２側は表側であり、ベース部１４１側は裏側である。
【００３２】
図３に示すように、メイン制御基板ケース１４０の前側には検査シール１３１が貼り付けられている。検査シール１３１は、検査が完了しメイン制御基板ケース１４０に貼り付けられるものであり、メイン制御基板ケース１４０が検査を終えられたものであり、不良品でないことを証明するものである。また、メイン制御基板ケース１４０の上部に設けられたカシメピン挿入部（第１規制部）１４９にはカシメピン（第１規制部）１４４が挿入されている。詳細は後述するが、メイン制御基板ケース１４０はベース部１４１及びカバー部１４２を組み合わせることにより構成されており、カシメピン１４４が挿入されることによりベース部１４１及びカバー部１４２が分離困難となる。
【００３３】
メイン制御基板ケース１４０は取付板１１１を備えており、詳細は後述するが、取付板１１１に蝶番１１２が取り付けられることにより、上述したように、メイン制御基板ケース１４０及びケース支持部１１０が連結される。取付板１１１には蝶番１１２との取付け部分が露呈しないように蝶番１１２の一部を覆うように封印カバー１２３が設置され、さらに封印カバー１２３をはずすことが困難となるように２つの封印キャップ（第２規制部）１２４ａ、１２４ｂが取り付けられている。
【００３４】
また、封印カバー１２３において、封印キャップ１２４ａ、１２４ｂの近傍には、カシメ情報（規制部文字情報）１３３ａ、１３３ｂが形成されている。詳細は後述するが、カシメ情報１３３ａ、１３３ｂは、カシメ構造の位置を示すものである。ここで、カシメ構造とは、不正行為を抑制するための機構であり、例えば、メイン制御基板ケース１４０を容易に開封できないようにする構造や、メイン制御基板ケース１４０を筺体本体１０ａから容易に取りはずすことができないようにする構造である。メイン制御基板ユニット１００は、このようなカシメ構造を有している。
【００３５】
なお、具体的には、カシメ情報１３３ａは「Ｂ」の文字であり、カシメ情報１３３ｂは「Ｃ」の文字であり、封印カバー１２３にこれらの文字が刻印により形成されている。これら「Ｂ」の文字及び「Ｃ」の文字は、いずれも前側から見た場合に正しく認識できるように形成されている。つまり、メイン制御基板ユニット１００を表側から見た場合に、これら「Ｂ」の文字及び「Ｃ」の文字は、いずれも正しく見えるように形成されている。なお、カシメ情報１３３ａ、１３３ｂは刻印により形成されているとしたが、具体的には、カシメ情報１３３ａ、１３３ｂの文字が封印カバー１２３の面に対して突出又は陥没するように形成されている。なお、封印カバー１２３の表面を工具等により直接削ることでカシメ情報１３３ａ、１３３ｂを形成してもよいが、具体的には、これらのカシメ情報１３３ａ、１３３ｂは、封印カバー１２３が射出成型により作製される際に形成されることとすればよい。つまり、封印カバー１２３は、材料である熱可塑性樹脂を金型に送りこんで射出成型されることにより作製されるが、この金型にカシメ情報１３３ａ、１３３ｂの型が、凸又は凹で形成されていればよい。カシメ情報１３３ａ、１３３ｂは文字の部分が封印カバー１２３の面に対して突出するように形成されていてもよいし、封印カバー１２３の面に対して凹むように形成されていてもよく、作業者がカシメ情報１３３ａ、１３３ｂを認識可能に形成されていればよい。なお、メイン制御基板ユニット１００の表側とは、点検時等において作業者が前扉１０ｂを開けた際に、作業者に対して露出される側である。
【００３６】
また、上述したように、カシメピン１４４がカシメピン挿入部１４９に挿入されることによりベース部１４１及びカバー部１４２が分離困難となるが、これもカシメ構造であり、このカシメ構造の位置を示すためにカバー部１４２においてカシメピン挿入部１４９の近傍にカシメ情報（規制部文字情報）１３８が形成されている。具体的には、カシメ情報１３８は「Ａ」の文字であり、カバー部１４２にこの文字が、カシメ情報１３３ａ、１３３ｂと同様に刻印により形成されている。この「Ａ」の文字は、カシメ情報１３３ａ、１３３ｂと同様に、前側から見た場合に正しく認識できるように形成されている。つまり、メイン制御基板ユニット１００を表側から見た場合に、「Ａ」の文字が正しく見えるように形成されている。ただし、「Ａ」は字体によっては左右対称であることから、メイン制御基板ユニット１００を裏側から見た場合でも正しく認識できる。
【００３７】
ケース支持部１１０には、取付板１１１と同様に封印カバー１１３及び封印キャップ１１４が設置されている。なお、ケース支持部１１０に設置される封印キャップ１１４は１つである。詳細は後述するが、ケース支持部１１０には蝶番１１２が取り付けられ、取付板１１１及びケース支持部１１０に蝶番１１２が取り付けられることにより、上述したようにメイン制御基板ケース１４０及びケース支持部１１０が連結される。取付板１１１と同様に、ケース支持部１１０には蝶番１１２との取付け部分が露出しないように蝶番１１２の一部を覆うように封印カバー１１３が設置され、さらに封印カバー１１３をはずすことが困難となるように封印キャップ１１４が取り付けられている。
【００３８】
メイン制御基板ケース１４０は、無色透明の熱可塑性樹脂によって形成されている。これにより、内部に収納されるメイン制御基板１４３等に不正な改造等が施されたことをメイン制御基板ケース１４０の外部から目視により、容易に認識することができる。また、ケース支持部１１０も同様に熱可塑性樹脂によって形成されている。具体的には、メイン制御基板ケース１４０及びケース支持部１１０を有するメイン制御基板ユニット１００は、熱可塑性樹脂であるＰＣ（ポリカーボネート）により構成されている。ここで、メイン制御基板ケース１４０（カバー部１４２）には、ＰＣにより構成されていることを示すための材質情報（材質文字情報）１３２が形成されている。具体的には、「Ｐ」の文字と「Ｃ」の文字がメイン制御基板ケース１４０上に刻印により形成されている。つまり、材質情報１３２は、「ＰＣ」の文字である。ただし、材質情報１３２は、メイン制御基板ケース１４０の裏側（ベース部１４１側）から見た場合に正しく認識できるように形成されている。なお、メイン制御基板ケース１４０内にはメイン制御基板１４３が収納されているため、メイン制御基板ケース１４０の裏側から見たとしても、材質情報１３２を認識することはできない。なお、材質情報１３２はカバー部１４２に形成されることとしたが、メイン制御基板ユニット１００を構成する、カバー部１４２以外の部材においても形成されていることとすればよい。つまり、メイン制御基板ユニット１００を構成する各部材に、その部材の材質を示す材質情報１３２が形成されていることとすればよい。
【００３９】
このように、材質情報１３２は、メイン制御基板ケース１４０の裏側（ベース部１４１側）から見た場合に正しく認識できるように形成されていることから、カバー部１４２側から（表側から）見た場合は、図３に示すように材質情報１３２は、左右反転した「Ｐ」の文字と「Ｃ」の文字として認識される。つまり、メイン制御基板ユニット１００を表側から見た場合に、これら「Ｐ」の文字と「Ｃ」の文字は、いずれも上下はそのままで左右反転しているように認識できるように形成されている。つまり、いわゆる鏡文字として認識できるように形成されている。したがって、材質情報１３２は、メイン制御基板ケース１４０の表側（カバー部１４２側）から見た場合に正しく見えないように形成されている。なお、材質情報１３２は、メイン制御基板ユニット１００を表側から見た場合に、正しく見えないように形成されたものであればよく、左右反転した文字に限定されるわけではない。
【００４０】
また、上述したように、メイン制御基板ユニット１００を表側から見た場合に、カシメ情報１３３ａ、１３３ｂ、１３８は正しく見えるように形成されているとしたが、カシメ情報１３３ａ、１３３ｂ、１３８を回転させることで正しく見えるように形成されている場合も含まれる。つまり、カシメ情報１３３ａ、１３３ｂ、１３８である「Ｂ」、「Ｃ」、「Ａ」の文字が、９０度や１８０度といった任意の角度だけ回転されて、メイン制御基板ユニット１００に形成されていてもよい。これに対して、材質情報１３２は、メイン制御基板ユニット１００を表側から見た場合に正しく見えないように形成されていることから、材質情報１３２である「ＰＣ」の文字を回転させたとしても正しく見えることはないように、材質情報１３２はメイン制御基板ユニット１００に形成されている。
【００４１】
なお、材質情報１３２は刻印により形成されているとしたが、材質情報１３２の文字がメイン制御基板ケース１４０の面に対して突出又は陥没するように形成されている。なお、メイン制御基板ケース１４０の表面を工具等により直接削ることで材質情報１３２を形成してもよいが、具体的には、この材質情報１３２は、メイン制御基板ケース１４０が射出成型により作製される際に形成されることとすればよい。つまり、メイン制御基板ケース１４０を構成するカバー部１４２及びベース部１４１は、材料である熱可塑性樹脂を金型に送りこんで射出成型されることにより作製されるが、材質情報１３２が形成されるようにこの金型に材質情報１３２の型が、凸又は凹で形成されていればよい。材質情報１３２は文字の部分がカバー部１４２の面に対して突出するように形成されていてもよいし、カバー部１４２の面に対して凹むように形成されていてもよく、作業者が材質情報１３２を認識可能に形成されていればよい。
【００４２】
なお、この材質情報１３２は、遊技機１０を廃棄する際に各部品を材質に応じて分別するために各部品に付されるものである。したがって、カバー部１４２だけでなくベース部１４１やケース支持部１１０の各部品についても材質情報１３２が形成されているが、図示は省略している。ベース部１４１においても材質情報１３２は、メイン制御基板ケース１４０の裏側であるベース部１４１側から見た場合に正しく認識できる形態で形成されている。したがって、メイン制御基板ケース１４０の表側から見た場合は、左右反転した文字となる。また、ケース支持部１１０の各部品については、ケース支持部１１０が設置面３７に設置された状態において、前側（表側）から見た場合には、材質情報１３２が左右反転した文字となるように形成されている。
【００４３】
なお、メイン制御基板ユニット１００は、熱可塑性樹脂であるＰＣにより構成されていることとしたが、例えば、熱可塑性樹脂であるＡＢＳ樹脂（アクリロニトリル・ブタジエン・スチレン共重合樹脂）等により構成されることとしてもよい。この場合は、材質情報１３２は、「ＰＣ」ではなく、「Ａ」の文字と「Ｂ」の文字と「Ｓ」により構成される。つまり、材質情報１３２は、「ＡＢＳ」である。また、上述したように、これら材質情報１３２の文字は、メイン制御基板ケース１４０においては、メイン制御基板ケース１４０の裏側であるベース部１４１側から見た場合に正しく認識できる形態で形成されている。したがって、メイン制御基板ケース１４０の表側から見た場合は、左右反転した文字となる。また、ケース支持部１１０の各部品については、ケース支持部１１０が設置面３７に設置された状態において、前側から見た場合には、材質情報１３２が左右反転した文字となるように形成されている。なお、「Ａ」の文字については、字体によっては左右対称であることから、いずれの方向から見ても左右反転しない場合もある。
【００４４】
また、メイン制御基板ケース１４０は無色透明の熱可塑性樹脂であるＰＣにより構成されることとしたが、これによりメイン制御基板ケース１４０を不正に開封しようとした際には、メイン制御基板ケース１４０に開封の痕跡が残る可能性があり、このような不正行為が行われたことを目視により容易に確認できる。なお、メイン制御基板ケース１４０は無色透明の樹脂で構成されることとしたが、これは、メイン制御基板ケース１４０において、材料である熱可塑性樹脂に染料や顔料といった着色剤が練り込まれていないということであり、メイン制御基板ケース１４０が完全な無色透明に限定されるというわけではない。したがって、メイン制御基板ケース１４０に着色剤が練り込まれていない状態であれば、乳白色である場合等も含まれる。
【００４５】
また、メイン制御基板ケース１４０の内部の視認性が比較的高ければよい。つまり、比較的透明度が高ければよい。また、無色透明の熱可塑性樹脂であっても、厚さが増すことにより白っぽく見える場合はある。メイン制御基板ケース１４０において部分的に、このように白っぽく見えて内部が視認しにくい箇所があってもかまわない。メイン制御基板ケース１４０全体として、内部の視認性が比較的高ければよい。なお、詳細は後述するが、メイン制御基板ケース１４０における外部から内部の視認性は、サブ制御基板ケース２４０のカバー部２４２におけるサブ制御基板ケース２４０内部の視認性に比べて高い。
【００４６】
上述したように、メイン制御基板ケース１４０は、背板１０ｃの設置面３７に対して回動可能である。メイン制御基板ケース１４０における第１保持位置は、メイン制御基板ケース１４０の裏側であるベース部１４１側が設置面３７に対向して近接配置されて露出されていない状態である。つまり、図３に示すように、メイン制御基板ケース１４０が設置面３７に対して対向し、設置面３７と略平行である位置を第１保持位置という。
【００４７】
遊技機１０において、普段はメイン制御基板ケース１４０が第１保持位置にあるが、前扉１０ｂを開けてメイン制御基板ケース１４０を検査する際等においては、メイン制御基板ケース１４０を展開位置側へと回動させて行われる。メイン制御基板ケース１４０が第１保持位置にある場合は、メイン制御基板ケース１４０の裏側面は背板１０ｃに近接しており、作業者は、メイン制御基板ケース１４０の裏側面から確認することが困難であるが、メイン制御基板ケース１４０を回動させて展開位置とすることにより、メイン制御基板ケース１４０の裏側面が露出することとなり、作業者が容易に確認することができる。そのため、メイン制御基板ケース１４０の裏側面を破損させる等して不正行為が行われていても容易に発見することができる。なお、点検の際に作業者は、メイン制御基板ケース１４０を展開位置まで回動させなくてもよく、メイン制御基板ケース１４０の裏側面が露出してメイン制御基板ケース１４０の裏側面を確認できる程度に回動させればよい。
【００４８】
また、設置面３７に、一般的な背板１０ｃよりも反射率が高い光反射部を設置しておくことが好ましい。具体的には、アルミニウムやステンレス等の金属板を背板１０ｃに設置しておくことが好ましい。これにより、メイン制御基板ケース１４０の裏側面を点検する場合に、筺体本体１０ａの外からの光が設置面３７において反射してメイン制御基板ケース１４０の裏側面に照射されることから、点検がしやすい。また、光反射部を鏡面とすることで、メイン制御基板ケース１４０の裏側面を光反射部に映すことが可能となり、光反射部を見ることでメイン制御基板ケース１４０の裏側面を容易に確認することができる。なお、背板１０ｃにおいて、メイン制御基板ケース１４０が第１保持位置にある状態でメイン制御基板ケース１４０と対向する領域に光反射部が設置されればよい。
【００４９】
このように、メイン制御基板ユニット１００によれば、背板１０ｃに設置したままで、ベース部１４１及びカバー部１４２に分離させることなく、メイン制御基板ケース１４０を点検することが可能である。なお、メイン制御基板ケース１４０は上述したように比較的透明度が高いため、メイン制御基板ケース１４０の外部から、メイン制御基板ケース１４０の内部に収納されたメイン制御基板１４３等を目視することが可能である。
【００５０】
メイン制御基板ケース１４０の構成について、図面を用いてさらに詳細に説明する。図５は、本発明の実施形態１に係るメイン制御基板ケースの構成を示す分解斜視図である。また、図６は、本発明の実施形態１に係るメイン制御基板ケースにおけるカシメ部分の構成を示す分解斜視図である。また、図７は、本発明の実施形態１に係るメイン制御基板ケースにおけるカシメ部分の構成を示す断面図である。
【００５１】
図５に示すように、メイン制御基板ケース１４０は、内部にメイン制御基板１４３を収納し、ベース部１４１及びカバー部１４２が組み合わされて連結（接合）され、一体化されて構成されている。つまり、メイン制御基板ケース１４０は、メイン制御基板１４３の両主面を、それぞれベース部１４１及びカバー部１４２で覆うようにして構成されている。カバー部１４２及びメイン制御基板１４３は、図示していないネジによりネジ止めされて固定される。また、カバー部１４２、メイン制御基板１４３及びベース部１４１はネジ１４８ａによりネジ止めされて固定される。また、上述したように、メイン制御基板ケース１４０は、無色透明な熱可塑性樹脂によって形成されている。したがって、ベース部１４１及びカバー部１４２は、上述の無色透明な熱可塑性樹脂によって形成されている。
【００５２】
メイン制御基板１４３には、メインＣＰＵ１６０、電子部品１６７及びコネクタ１４５ａ〜１４５ｃ等が設置されている。メインＣＰＵ１６０は遊技機１０における遊技の進行に関する制御を行うものであり、役抽選、入賞判定及び遊技動作等、遊技における基本的な制御を行うためのデータが格納されているＲＯＭを内部に搭載している。電子部品１６７は、電子回路を構成する抵抗やコンデンサ等の素子である。コネクタ１４５ａ〜１４５ｃは、メイン制御基板１４３の外部に電気信号を送信するためのものである。なお、メイン制御基板１４３上には、実装された電子部品を電気的に接続するための配線が施され、電子部品１６７以外にも電子素子等が実装されているが、図示は省略している。
【００５３】
カバー部１４２には、メイン制御基板１４３に形成されたコネクタ１４５ａ〜１４５ｃを外部に露出するためのコネクタ孔１４６ａ〜１４６ｃが形成されている。コネクタ孔１４６ａ〜１４６ｃからコネクタ１４５ａ〜１４５ｃが露出することにより、外部に電気信号を送信するための電線等とコネクタ１４５ａ〜１４５ｃとを連結することができる。また、カバー部１４２の前側の表面には検査シール１３１が貼り付けられている。
【００５４】
また、上述したように、メイン制御基板ケース１４０（メイン制御基板ユニット１００）において、ベース部１４１及びカバー部１４２を分離困難とし、メイン制御基板ケース１４０の開封を困難とするカシメ構造が形成されている。ベース部１４１はカシメピン挿入部１４９を有し、ベース部１４１及びカバー部１４２が組み合わされて結合した後に、カシメピン１４４がカシメピン挿入部１４９に挿入される。図６に示すように、カバー部１４２には貫通孔であるカシメピン係合部１５０が設けられている。また、カシメピン挿入部１４９にも貫通孔が設けられている。ベース部１４１及びカバー部１４２が結合された際に、カシメピン係合部１５０はカシメピン挿入部１４９の下方に位置することとなる。そして、ベース部１４１及びカバー部１４２が結合された状態で、上方からカシメピン挿入部１４９の貫通孔にカシメピン１４４が挿入され、続いてカシメピン１４４がカシメピン係合部１５０の貫通孔に挿入されることとなる。カシメピン１４４の先端には矢じり部１４４ａが形成されており、カシメピン１４４がカシメピン係合部１５０に挿入されると、矢じり部１４４ａがカシメピン係合部１５０に引っ掛かってカシメピン１４４を抜くことが困難となる。
【００５５】
図７に示すように、矢じり部１４４ａは下方に向かって徐々に狭まっていき、上方に向かって徐々に広がっていく形状である。矢じり部１４４ａがカシメピン係合部１５０の貫通孔は矢じり部１４４ａの上端よりも狭いが、矢じり部１４４ａがカシメピン係合部１５０に挿入された際に、カシメピン係合部１５０の貫通孔に規制されて矢じり部１４４ａが撓み、矢じり部１４４ａの上端が狭まることとなり、カシメピン係合部１５０を貫通する。そして、矢じり部１４４ａがカシメピン係合部１５０を貫通すると矢じり部１４４ａは再び元のように広がることから、矢じり部１４４ａの上端がカシメピン係合部１５０に引っ掛かることとなり、カシメピン１４４をカシメピン係合部１５０から抜くことが困難となる。このように、カシメピン１４４がカシメピン挿入部１４９及びカシメピン係合部１５０を貫通することで、ベース部１４１及びカバー部１４２を分離することが困難となる。つまり、ベース部１４１及びカバー部１４２を分離するためには、カシメピン１４４をカシメピン挿入部１４９及びカシメピン係合部１５０から抜く必要があるが、上述したようにカシメピン１４４を抜くことが困難であることから、ベース部１４１及びカバー部１４２を分離することが困難となる。したがって、不正行為を行うために、ベース部１４１及びカバー部１４２を分離させようとする場合は、カシメピン１４４、ベース部１４１及びカバー部１４２の少なくともいずれかを破壊することとなり、不正行為が行われたことを容易に認識することができる。
【００５６】
なお、カシメピン１４４、カシメピン挿入部１４９及びカシメピン係合部１５０のそれぞれは、２つずつ形成されているが、ベース部１４１及びカバー部１４２を結合する際は、これらのうちいずれか一方のみを用いることとすればよい。それにより、カシメピン１４４によりベース部１４１及びカバー部１４２を分離困難とすることは、２回行うことが可能である。例えば、ベース部１４１及びカバー部１４２を結合して、カシメピン挿入部１４９及びカシメピン係合部１５０にカシメピン１４４を挿入した後に、検査等により正当にベース部１４１及びカバー部１４２を分離する際は、カシメピン挿入部１４９及びカシメピン係合部１５０に挿入されている一方のカシメピン１４４を切断することにより、ベース部１４１及びカバー部１４２を容易に分離することができる。検査等が終わった後に、残っている他方のカシメピン１４４を用いてベース部１４１及びカバー部１４２を再び、分離困難とすればよい。
【００５７】
なお、上述したように、カシメピン１４４がカシメピン挿入部１４９に挿入されることで、メイン制御基板ケース１４０の開封を困難とするカシメ構造について、その位置を示すカシメ情報１３８がメイン制御基板ケース１４０のカバー部１４２に形成されている。
【００５８】
次に、メイン制御基板ケース１４０とケース支持部１１０との連結構造及びこれらの背板１０ｃへの設置構造について、図面を用いて説明する。図８は、本発明の実施形態１に係るケース支持部とメイン制御基板ケースとの構成を示す分解斜視図である。
【００５９】
図８に示すように、ケース支持部１１０には、取付ネジ１１６によって背板１０ｃの設置面３７にネジ止めされるための２つの貫通孔１２６が形成されている。また、ケース支持部１１０には、封印カバー１１３を取り付けるためのネジ穴１１９が形成されている。また、ケース支持部１１０において、２つの貫通孔１２６それぞれの上下には、２つの蝶番１１２を取り付けるためのネジ穴１２５ａ、１２５ｂが、形成されている。
【００６０】
メイン制御基板ケース１４０の取付板１１１には、封印カバー１２３を取り付けるための２つのネジ穴１２９ａ、１２９ｂが形成されている。また、取付板１１１には、２つの蝶番１１２を取り付けるためのネジ穴１２５ｃ、１２５ｄが形成されている。
【００６１】
メイン制御基板ケース１４０とケース支持部１１０とを連結するには、まず、ケース支持部１１０を設置面３７に設置する。具体的には、貫通孔１２６を通すことにより、ケース支持部１１０を貫通して取付ネジ１１６を設置面３７にネジ止めする。これにより、ケース支持部１１０が設置面３７に固定される。取付ネジ１１６が貫通している貫通孔１２６を覆うように蝶番１１２を配置し、蝶番用ネジ１１５ａ、１１５ｂを蝶番１１２の孔１２２ａ、１２２ｂに通してネジ穴１２５ａ、１２５ｂに螺合させる。これにより、取付ネジ１１６が蝶番１１２に覆われて外部に露呈しないことから、蝶番１１２をケース支持部１１０からはずさなければ取付ネジ１１６をはずすことが困難となる。
【００６２】
ケース支持部１１０に蝶番１１２を取り付けた状態で、蝶番用ネジ１１５ａ、１１５ｂを覆うように封印カバー１１３をケース支持部１１０に設置し、封印カバー用ネジ１１７を封印カバー１１３に貫通させてネジ穴１１９に螺合させる。これにより、封印カバー１１３がケース支持部１１０に固定される。さらに、封印カバー用ネジ１１７を覆うように封印カバー１１３に形成されたキャップ穴１１４ａに封印キャップ１１４を埋め込むように嵌める。封印キャップ１１４はキャップ穴１１４ａに埋め込まれるように嵌まることにより、封印カバー１１３からはずすことが困難となる。封印カバー用ネジ１１７は封印キャップ１１４に覆われて外部に露呈していないことから、封印カバー用ネジ１１７をはずすことも困難となる。そのため、封印カバー１１３をケース支持部１１０からはずすことも困難である。蝶番用ネジ１１５ａ、１１５ｂは封印カバー１１３に覆われて外部に露出していないことから、封印カバー１１３をはずさなければ、蝶番１１２をケース支持部１１０からはずすことは困難である。
【００６３】
蝶番１１２は、取付板１１１にも取り付けられる。具体的には、蝶番用ネジ１１５ｃ、１１５ｄを蝶番１１２の孔１２２ｃ、１２２ｄに通してネジ穴１２５ｃ、１２５ｄに螺合させる。そして、取付板１１１に蝶番１１２を取り付けた状態で、蝶番用ネジ１１５ｃ、１１５ｄを覆うように封印カバー１２３を取付板１１１に設置し、封印カバー用ネジ１２７ａ、１２７ｂを封印カバー１２３に貫通させてネジ穴１２９ａ、１２９ｂに螺合させる。これにより、封印カバー１２３が取付板１１１に固定される。さらに、封印カバー用ネジ１２７ａ、１２７ｂを覆うように封印カバー１２３に形成されたキャップ穴１３４ａ、１３４ｂに封印キャップ１２４ａ、１２４ｂを埋め込むように嵌める。封印キャップ１２４ａ、１２４ｂはキャップ穴１３４ａ、１３４ｂに埋め込まれるように嵌まることにより、封印カバー１２３からはずすことが困難となる。封印カバー用ネジ１２７は封印キャップ１２４ａ、１２４ｂに覆われて外部に露呈していないことから、封印カバー用ネジ１２７ａ、１２７ｂをはずすことも困難となる。そのため、封印カバー１２３を取付板１１１からはずすことも困難である。蝶番用ネジ１１５ｃ、１１５ｄは封印カバー１２３に覆われて外部に露出していないことから、封印カバー１２３をはずさなければ、蝶番１１２を取付板１１１からはずすことは困難である。
【００６４】
メイン制御基板ケース１４０とケース支持部１１０との連結構造及びこれらの背板１０ｃ（設置面３７）への設置構造は、上述した構造であることから、メイン制御基板ケース１４０を遊技機１０から取りはずすことは困難である。また、ケース支持部１１０を含むメイン制御基板ユニット１００ごと遊技機１０から取りはずすことも困難である。したがって、不正行為者がメイン制御基板ケース１４０を遊技機１０から取りはずして、不正な基板ケース本体に取り替えることや、ケース支持部１１０を含むメイン制御基板ユニット１００ごと遊技機１０から取りはずして不正にメイン制御基板ユニット１００を取り替えることも困難である。
【００６５】
不正行為を行うため又は不正行為の有無の確認をするためにメイン制御基板ケース１４０とケース支持部１１０とを分離するには、蝶番用ネジ１１５ａ、１１５ｂ、１１５ｃ、１１５ｄをはずして蝶番１１２をはずすことが必要である。また、蝶番用ネジ１１５ａ、１１５ｂ及び蝶番用ネジ１１５ｃ、１１５ｄをはずすためには、それぞれ封印カバー１１３及び封印カバー１２３をはずす必要がある。また、封印カバー１１３及び封印カバー１２３をはずすために封印キャップ１１４及び封印キャップ１２４ａ、１２４ｂをはずすには、封印キャップ１１４または封印カバー１１３を破壊する、及び、封印キャップ１２４ａ、１２４ｂまたは封印カバー１２３を破壊することとなる。したがって、不正行為が行われたこと又は不正行為の有無の確認をするためにメイン制御基板ケース１４０とケース支持部１１０とを分離したことがあるかを容易に認識できる。
【００６６】
また、メイン制御基板ユニット１００を設置面３７から取りはずすことで不正行為を行う場合は、ケース支持部１１０を設置面３７から取りはずすこととなり、取付ネジ１１６をはずす必要がある。また、取付ネジ１１６をはずすためには、蝶番１１２をケース支持部１１０から取りはずす必要がある。しかし、上述したように、封印キャップ１１４または封印カバー１１３を破壊せずに蝶番１１２をケース支持部１１０から取りはずすことは困難であり、不正行為が行われたことを容易に認識できる。
【００６７】
ここで、上述したように、メイン制御基板ケース１４０を設置面３７である背板１０ｃから容易に取りはずせない構造とされているが、上述したように、このような構造をカシメ構造という。カシメ構造とすることにより、部品を破壊せずにメイン制御基板ケース１４０を設置面３７から不正に取りはずすことが困難であり、不正行為が行われたとしても容易に発見できることから不正行為を抑制できる。なお、遊技機１０を廃棄する場合のように、正規にメイン制御基板ケース１４０を設置面３７から取りはずす際は、例えば、封印キャップ１２４ａ、１２４ｂを破壊して封印カバー用ネジ１２７ａ、１２７ｂを露出させてから取りはずし、さらに、封印カバー１２３を取りはずして蝶番用ネジ１１５ｃ、１１５ｄを露出させて取りはずすことにより、メイン制御基板ケース１４０を設置面３７から取りはずすことができる。このように、正規にメイン制御基板ケース１４０を設置面３７から取りはずす際に、カシメ構造の位置を示すために、カシメ情報１３３ａ、１３３ｂが封印カバー１２３において、封印キャップ１２４ａ、１２４ｂの近傍に形成されている。なお、メイン制御基板ユニット１００が、カシメ構造を有している。したがって、メイン制御基板ユニット１００は、封印カバー１２３及び封印キャップ１２４ａ、１２４ｂ等を有している。
【００６８】
なお、カシメ構造は、「Ｂ」及び「Ｃ」のカシメ情報１３３ａ及びカシメ情報１３３ｂにより示されているように、２箇所ある。したがって、メイン制御基板ケース１４０を設置面３７である背板１０ｃから容易に取りはずせないようにすることを、２度行うことができる。つまり、メイン制御基板ケース１４０とケース支持部１１０とを連結する場合に、封印キャップ１２４ａのみキャップ穴１３４ａに嵌め、封印キャップ１２４ｂについてはキャップ穴１３４ｂに嵌めないようにしておけばよい。いったん、メイン制御基板ケース１４０とケース支持部１１０とを連結した後に、正規にメイン制御基板ケース１４０とケース支持部１１０とを分離する必要がある場合に、封印キャップ１２４ａを破壊して、メイン制御基板ケース１４０とケース支持部１１０とを分離すればよい。再度、メイン制御基板ケース１４０とケース支持部１１０とを連結する際は、キャップ穴１３４ｂに封印キャップ１２４ｂを嵌めることとすればよい。ここで、上述したように、メイン制御基板ユニット１００は、カシメ情報１３３ａ、１３３ｂにより示されるカシメ構造以外に、カシメ情報１３８により示されるカシメ構造を有しているが、これらのカシメ構造のうち少なくとも一方を有していればよい。
【００６９】
ここで、材質情報１３２及びカシメ情報１３３ａ、１３３ｂについて、図面を用いて説明する。図９は、本発明の実施形態１に係るカシメ情報及び材質情報の外観構成を示す拡大図であって、図９（ａ）はカシメ情報を示す拡大図であり、図９（ｂ）は材質情報を示す拡大図である。
【００７０】
図９（ａ）に示すように、カシメ情報１３３ａ及びカシメ情報１３３ｂは、上述したように「Ｂ」の文字及び「Ｃ」の文字で形成されている。また、図９（ｂ）に示すように、材質情報１３２は、上述したように「Ｐ」の文字、「Ｃ」の文字で形成されている。つまり、カシメ情報１３３ａ及びカシメ情報１３３ｂと、材質情報１３２と、において、いずれにも「Ｃ」の文字が含まれている。また、上述したように、材質情報１３２は、メイン制御基板ユニット１００を表側から見た場合に、左右反転した「Ｐ」の文字と「Ｃ」の文字として認識されるように形成されているのに対して、カシメ情報１３３ａ及びカシメ情報１３３ｂについては、メイン制御基板ユニット１００を表側から見た場合に、正しく「Ｂ」の文字及び「Ｃ」の文字として形成されている。これにより、同じ「Ｃ」の文字であっても、材質情報１３２であるか、カシメ情報１３３ｂであるかを誤ることが防止される。そのため、材質情報１３２の「Ｃ」の文字についてカシメ構造を示すものと誤ったり、カシメ情報１３３ｂの「Ｃ」の文字について材質情報１３２を示すものと誤ったりすることが防止される。
【００７１】
また、作業者がカシメ構造の位置を確認する場合は、一般的に、メイン制御基板ケース１４０を含むメイン制御基板ユニット１００が設置面３７に設置されている状態である。この場合は、作業者はメイン制御基板ユニット１００を表側から見ることとなり、この場合にカシメ情報１３３ａ、１３３ｂが左右反転せずに正しく認識できることから、作業の効率が低下しにくい。また、作業者が材質情報１３２を確認する場合は、一般的に、遊技機１０の各部品を廃棄する際であり、部品ごとに分離されている状態である。この場合は、メイン制御基板ケース１４０（メイン制御基板ユニット１００）が設置面３７に設置されているわけではなく、材質情報１３２が形成されたカバー部１４２は他の部品から分離されており、表側及び裏側のいずれからも見ることが容易である。したがって、材質情報１３２が左右反転されて視認された場合は、カバー部１４２の表裏を入れ替えて（カバー部１４２を裏返して）材質情報１３２を確認することができ、容易に正しい方向から材質情報１３２を確認することができ、作業効率が低下することがない。なお、材質情報１３２は、各部品に形成されるが、メイン制御基板ユニット１００において、メイン制御基板ケース１４０以外の箇所においても、カシメ情報１３３ａ、１３３ｂと同じ文字である材質情報１３２が形成されていてもよい。例えば、ケース支持部１１０に「ＰＣ」との文字による材質情報１３２が形成されていてもよい。なお、上述したように、材質情報１３２は、メイン制御基板ユニット１００を表側から見た場合に、左右反転して見える文字に限定されないが、メイン制御基板ユニット１００を裏側から見た場合に、正しく見える文字として形成されていることが好ましい。これにより、各部品を廃棄するために分解した際に、作業者は材質情報１３２を容易に認識することができ、作業効率が低下することがない。
【００７２】
カシメ情報１３８についても、カシメ情報１３３ａ、１３３ｂと同様であることから、説明を省略する。カシメ情報１３８についても、作業者は、材質情報１３２と間違えて認識しにくい。
【００７３】
上述したように、カシメ情報１３３ａ、１３３ｂと、材質情報１３２とは、互いに形態が異なることから、作業者は間違えにくい。なお、これらの形態の違いは、上述したものに限定されるわけではなく、他の形態であってもよい。以下に、本実施形態１における、カシメ情報１３３ａ、１３３ｂ及び材質情報１３２の他の実施形態（他の形態１〜３）について、図面を用いて説明する。図１０は、本発明の実施形態１に係る材質情報の他の実施形態における外観構成を示す拡大図である。また、図１１は、本発明の実施形態１に係るカシメ情報及び材質情報の他の実施形態における外観構成を示す拡大図であって、図１１（ａ）はカシメ情報を示す拡大図であり、図１１（ｂ）は材質情報を示す拡大図である。また、図１２は、本発明の実施形態１に係るカシメ情報の他の実施形態における外観構成を示す拡大図である。
【００７４】
まず、図１０（ａ）に示すように、他の実施形態（他の形態１）は、本実施形態１に係るメイン制御基板ユニット１００において、メイン制御基板ケース１４０を構成する、互いに連結されたカバー部１４２及びベース部１４１に跨って封印シール（シール）１３５が貼り付けられた構成である。封印シール１３５が貼り付けられることにより、カバー部１４２及びベース部１４１を分離してメイン制御基板ケース１４０を不正に開放するためには、封印シール１３５を剥がしたり、封印シール１３５を切断したりする必要がある。封印シール１３５が剥がれた場合や、封印シール１３５が切断された場合は、封印シール１３５を再びメイン制御基板ケース１４０に貼り付けることは困難である。したがって、不正にメイン制御基板ケース１４０を開放しようとしても、その痕跡が残ってしまうこととなり、不正行為が行われたことを容易に認識することができる。この封印シール１３５をメイン制御基板ケース１４０に貼り付ける際に、材質情報１３２である「ＰＣ」との文字の少なくとも一部を覆うように封印シール１３５が貼り付けられることとすればよい。これにより、材質情報１３２において、封印シール１３５が貼り付けられて覆われた箇所は、封印シール１３５が貼り付けられていない箇所に比べて視認性が低下する。なお、封印シール１３５は、不透明であることが好ましく、これにより、封印シール１３５が貼り付けられた箇所は見えなくなり、認識できなくなる。このため、作業者は、材質文字情報を見にくくなることから、材質情報１３２とカシメ情報１３３ａ、１３３ｂとを容易に見分けることができる。例えば、封印シール１３５により材質情報１３２である「ＰＣ」との文字をすべて覆ってしまうように、封印シール１３５を貼り付けてもよい。この場合は、作業者は材質情報１３２をまったく認識できなくなる。なお、封印シール１３５は不透明であることに限定されるわけではない。封印シール１３５が貼り付けられた箇所は、封印シール１３５が貼り付けられていない状態に比べて視認性が低下すればよいことから、例えば、封印シール１３５は透明であって、かつ、着色等されていることとすればよい。
【００７５】
上述したように、作業者が材質情報１３２を確認するのは、遊技機１０の各部品を廃棄する際である。このとき、メイン制御基板ユニット１００も部品ごとに分離されており、カバー部１４２とベース部１４１とは分離されており、封印シール１３５も除去されていることから、材質情報１３２を容易に認識することができる。しかし、メイン制御基板ユニット１００が設置面３７に設置されている状態のように、封印シール１３５がメイン制御基板ケース１４０に貼り付けられている状態では、作業者は材質情報１３２を確認する必要はあまりなく、材質情報１３２のすべてが封印シール１３５により覆われていても問題がない。
【００７６】
なお、材質情報１３２は、メイン制御基板ユニット１００を表側から見た場合に、左右反転した「Ｐ」の文字と「Ｃ」の文字として認識されるように形成されている。ここで、封印シール１３５が材質情報１３２の少なくとも一部に貼り付けられる場合は、カシメ情報１３３ａ、１３３ｂと材質情報１３２との違いが明確になる。これにより、図１０（ｂ）に示すように、材質情報（材質文字情報）１３２ａは、メイン制御基板ユニット１００を表側から見た場合に、正しく「Ｐ」の文字と「Ｃ」の文字として認識されるように形成されていてもよい。この場合であっても、封印シール１３５により、作業者は、カシメ情報１３３ａ、１３３ｂと、材質情報１３２ａと、を間違えにくい。
【００７７】
なお、材質情報１３２、１３２ａは材質を示すものであることから、上述したようにメイン制御基板ユニット１００が熱可塑性樹脂であるＡＢＳにより構成されている場合は、材質情報１３２、１３２ａは、「ＡＢＳ」となる。つまり、材質情報１３２は、メイン制御基板ユニット１００を表側から見た場合に、左右反転した「Ａ」の文字、「Ｂ」の文字及び「Ｓ」の文字として認識されるように形成され、封印シール１３５がこれらの文字である材質情報１３２の少なくとも一部に貼り付けられる構成としてもよい。また、材質情報１３２ａは、メイン制御基板ユニット１００を表側から見た場合に、正しく「Ａ」の文字、「Ｂ」の文字及び「Ｓ」の文字として認識されるように形成され、封印シール１３５がこれらの文字である材質情報１３２ａの少なくとも一部に貼り付けられる構成としてもよい。特に、「Ａ」の文字は、字体によっては左右対称であるが、少なくとも一部に封印シール１３５が貼り付けられることから、「Ａ」の文字であるカシメ情報１３８と明確に区別することができ、間違えにくい。
【００７８】
また、図１１（ａ）に示すように、他の実施形態（他の形態２）は、本実施形態１に係るメイン制御基板ユニット１００において、刻印により形成されたカシメ情報１３３ａ、１３３ｂの代わりに、印刷により形成されたカシメ情報（規制部文字情報）１３６ａ、１３６ｂが形成されることとしてもよい。つまり、封印カバー１２３上に印刷により、「Ｂ」及び「Ｃ」のカシメ情報１３６ａ及びカシメ情報１３６ｂが形成されていることとしてもよい。これにより、刻印により形成されている材質情報１３２と、カシメ情報１３６ａ、１３６ｂと、視覚により判別することが容易である。また、カシメ情報１３６ａ、１３６ｂが印刷により形成されることから、図１１（ｂ）に示すように、材質情報１３２ａとして、メイン制御基板ユニット１００を表側から見た場合に、正しく「Ｐ」の文字と「Ｃ」の文字として認識されるように形成されることとしてもよい。つまり、刻印であるか、印刷であるかにより、材質情報１３２と、カシメ情報１３６ａ、１３６ｂと、を明確に区別できることから、メイン制御基板ユニット１００を表側から見た場合に、材質情報１３２ａである「Ｐ」の文字と「Ｃ」の文字とが正しく認識できるように形成されていても、作業者はこれらを間違えにくい。
【００７９】
また、図１２に示すように、他の実施形態（他の形態３）は、本実施形態１に係るメイン制御基板ユニット１００において、カシメ情報１３３ａ及びカシメ情報１３３ｂが、押出ピン跡１３７ａ及び押出ピン跡１３７ｂと重複されるように形成されている。ここで、押出ピン跡１３７ａ、１３７ｂは、熱可塑性樹脂を金型により射出成型する場合に、金型から熱可塑性樹脂を取りはずす際に押出ピンにより形成される押出ピンの跡である。具体的には、押出ピンにより熱可塑性樹脂を押すことにより、金型から熱可塑性樹脂を取りはずすが、この際に、押出ピンの跡が熱可塑性樹脂に形成されることとなる。したがって、金型を作製する際に、カシメ情報１３３ａ、１３３ｂの形成位置に押出ピンの跡が形成されるように金型を作製すればよい。このように、カシメ情報１３３ａ、１３３ｂは、押出ピン跡１３７ａ、１３７ｂと重複していることから、材質情報１３２とは異なり、これらを間違えにくい。
【００８０】
なお、材質情報１３２、１３２ａとして、「ＰＣ」との文字を用いることとしたが、「ＰＣ」以外の文字が含まれていてもよい。例えば、材質情報１３２、１３２ａは、「ＰＣ」の前後に、「＞」、「＜」といった文字が加えられていることとしてもよい。具体的には、材質情報１３２、１３２ａは、「＞ＰＣ＜」との文字としてもよい。
【００８１】
以上、本実施形態１における他の実施形態として、カシメ情報１３３ａ、１３３ｂ（１３６ａ、１３６ｂ）と、材質情報１３２（１３２ａ）とを区別できる構成について説明したが、これら以外の構成としてもよい。例えば、カシメ情報１３３ａ、１３３ｂ（１３６ａ、１３６ｂ）の少なくとも一部が封印シール１３５により覆われることとしてもよいし、材質情報１３２（１３２ａ）が刻印ではなく印刷により形成されることとしてもよいし、材質情報１３２（１３２ａ）に押出ピン跡１３７ａ、１３７ｂが重複するように形成されることとしてもよい。なお、カシメ情報１３８についても、カシメ情報１３３ａ、１３３ｂと同様にすればよい。
【００８２】
（サブ制御基板ユニットの構成の説明）
次に、本実施形態１に係るサブ制御基板ユニット２００の構成について図面を用いて説明する。図１３は、本発明の実施形態１に係るサブ制御基板ケースが展開位置にある場合のサブ制御基板ユニットの外観構成を示す斜視図である。
【００８３】
上述したように、サブ制御基板ケース２４０は設置面３７である背板１０ｃに対して回動可能である。具体的には、図３に示すように、サブ制御基板ケース２４０は、サブ制御基板ケース２４０の裏側であるベース部（サブ制御基板ケース裏側部材）２４１側が設置面３７に対向して近接配置されて露出されていない第２保持位置から、設置面３７に対して回動されて、図１３に示すように、ベース部２４１が露出された展開位置へと回動可能である。ここで、サブ制御基板ケース２４０において、設置面３７に対して略９０度の角度となる位置を展開位置という。なお、サブ制御基板ケース２４０が展開位置にある場合は、作業者が点検を行う際に、サブ制御基板ケース２４０の裏側面を容易に視認可能であり、サブ制御基板ケース２４０の裏側面から容易にサブ制御基板ケース２４０を点検することができる。なお、サブ制御基板ケース２４０は、設置面３７に対して略９０度以上回動することが好ましい。なお、サブ制御基板ケース２４０において、カバー部２４２側は表側であり、ベース部２４１側は裏側である。
【００８４】
サブ制御基板ケース２４０は取付板２１１を備えており、詳細は後述するが、取付板２１１に蝶番２１２が取り付けられることにより、上述したように、サブ制御基板ケース２４０及びケース支持部２１０が連結される。取付板２１１には蝶番２１２との取付け部分が露呈しないように蝶番２１２の一部を覆うようにカバー２２３が設置されている。
【００８５】
ケース支持部２１０には、取付板２１１と同様にカバー２１３が設置されている。詳細は後述するが、ケース支持部２１０には蝶番２１２が取り付けられ、取付板２１１及びケース支持部２１０に蝶番２１２が取り付けられることにより、上述したようにサブ制御基板ケース２４０及びケース支持部２１０が連結される。取付板２１１と同様に、ケース支持部２１０には蝶番２１２の一部を覆うようにカバー２１３が設置されている。
【００８６】
サブ制御基板ケース２４０において、ベース部２４１は無色透明の熱可塑性樹脂によって形成されているが、カバー部２４２は熱可塑性樹脂によって形成され、有色透明である。具体的には、カバー部２４２は、黒色系であって透明である。なお、このような黒色系で透明である熱可塑性樹脂は、例えば、無色透明である熱可塑性樹脂の中に、染料や顔料といった黒色系の着色剤を練り込んで着色することにより形成されている。したがって、ベース部２４１及びカバー部２４２は熱可塑性樹脂であるＰＣやＡＢＳ等により構成されており、カバー部２４２については黒色系とされる。これにより、表側であるカバー部２４２側の外部からサブ制御基板ケース２４０内を見た場合の視認性は、裏側であるベース部２４１側の外部からサブ制御基板ケース２４０内を見た場合の視認性よりも低い。ただし、カバー部２４２側からであっても、サブ制御基板ケース２４０内を視認することは可能である。なお、黒色系とは、完全な黒色に限定されるわけではなく、黒の色合いの濃いものや淡いものも含まれる。また、黒色をベースとして、他の色が少し混じっているようなものも含まれる。例えば、灰色も黒色系に含まれる。
【００８７】
上述したように、メイン制御基板ケース１４０におけるカバー部１４２及びベース部１４１は、無色透明の熱可塑性樹脂により構成されていることから、サブ制御基板ケース２４０におけるカバー部２４２側の外部からサブ制御基板ケース２４０内を見た場合の視認性は、メイン制御基板ケース１４０における表側及び裏側であるカバー部１４２及びベース部１４１の外部からメイン制御基板ケース１４０内を見た場合の視認性よりも低い。また、メイン制御基板ケース１４０における表側及び裏側であるカバー部１４２及びベース部１４１の外部からメイン制御基板ケース１４０内を見た場合の視認性は、サブ制御基板ケース２４０において裏側であるベース部２４１側の外部からサブ制御基板ケース２４０内を見た場合の視認性と略同じである。つまり、カバー部１４２、ベース部１４１及びベース部２４１は、上述したように、無色透明の熱可塑性樹脂により形成されていることから、メイン制御基板ケース１４０及びサブ制御基板ケース２４０の外部からこれらを介して内部を見た場合の視認性は略同じである。ここで、カバー部１４２、ベース部１４１及びベース部２４１のそれぞれを構成する熱可塑性樹脂の材料が互いに異なっていたり、同じ材質であっても材質のグレードが互いに異なっていたり、互いに異なるメーカーにより製造されたものであったり、した場合であっても、カバー部１４２、ベース部１４１及びベース部２４１を構成する熱可塑性樹脂に着色剤が練り込まれていないのであれば、カバー部１４２、ベース部１４１及びベース部２４１のそれぞれにおける上記視認性は略同じであるとする。
【００８８】
上述したように、サブ制御基板ケース２４０は、背板１０ｃの設置面３７に対して回動可能である。サブ制御基板ケース２４０における第２保持位置は、サブ制御基板ケース２４０の裏側であるベース部２４１側が設置面３７に対向して近接配置されて露出されていない状態である。つまり、図３に示すように、サブ制御基板ケース２４０が設置面３７に対して対向し、設置面３７と略平行である位置を第２保持位置という。
【００８９】
遊技機１０において、普段はサブ制御基板ケース２４０が第２保持位置にあるが、前扉１０ｂを開けてサブ制御基板ケース２４０を検査する際等においては、サブ制御基板ケース２４０を展開位置側へと回動させて行われる。サブ制御基板ケース２４０が第２保持位置にある場合は、サブ制御基板ケース２４０の裏側面は背板１０ｃに近接しており、作業者は、サブ制御基板ケース２４０の裏側面から確認することが困難であるが、サブ制御基板ケース２４０を回動させて展開位置とすることにより、サブ制御基板ケース２４０の裏側面が露出することとなり、作業者が容易に確認することができる。
【００９０】
また、上述したように、設置面３７に、一般的な背板１０ｃよりも反射率が高い光反射部を設置しておくことが好ましい。具体的には、アルミニウムやステンレス等の金属板を背板１０ｃに設置しておくことが好ましい。これにより、サブ制御基板ケース２４０の裏側面を点検する場合に、筺体本体１０ａの外からの光が設置面３７において反射してサブ制御基板ケース２４０の裏側面に照射されることから、点検がしやすい。また、光反射部を鏡面とすることで、サブ制御基板ケース２４０の裏側面を光反射部に映すことが可能となり、光反射部を見ることでサブ制御基板ケース２４０の裏側面を容易に確認することができる。なお、背板１０ｃにおいて、サブ制御基板ケース２４０が第２保持位置にある状態でサブ制御基板ケース２４０と対向する領域に光反射部が設置されればよい。
【００９１】
上述したように、サブ制御基板ケース２４０の表側であるカバー部２４２は黒色系であり、サブ制御基板ユニット２００と隣接して配置されるメイン制御基板ユニット１００のメイン制御基板ケース１４０と対照的である。作業者が筺体本体１０ａ内を点検する場合には、最も不正行為が行われやすいメイン制御基板ケース１４０を重点的に点検するため、まずメイン制御基板ケース１４０を点検することが一般的である。したがって、点検するために前扉１０ｂを開けた際に速やかにメイン制御基板ケース１４０を見つけることができることが好ましい。
【００９２】
本実施形態１に係る遊技機１０によれば、作業者が、点検作業のために前扉１０ｂを開けた際に、メイン制御基板ケース１４０は第１保持位置にあり、サブ制御基板ケース２４０は第２保持位置にある。したがって、作業者にはメイン制御基板ケース１４０の表側であるカバー部１４２及びサブ制御基板ケース２４０の表側であるカバー部２４２が見えることになる。上述したように、カバー部１４２は無色透明であるが、カバー部２４２は黒色系で透明である。このため、カバー部２４２を介して見たサブ制御基板ケース２４０の内部は、カバー部１４２を介して見たメイン制御基板ケース１４０の内部に比べて、視認性が低い。特に、サブ制御基板２４３は深緑色であり、サブ制御基板２４３に実装される電子部品２６７や、ＲＯＭ（図示せず）や、ＣＰＵ（図示せず）等は黒色である。したがって、黒色系であるカバー部２４２を介すると、これらサブ制御基板２４３、電子部品２６７、ＲＯＭ及びＣＰＵ等は、視覚によりサブ制御基板ケース２４０の外側から認識することは容易ではなく、これらは目に付きにくい。これに対して、カバー部１４２を介して、メイン制御基板ケース１４０の内部に収納されたメイン制御基板１４３、メイン制御基板１４３に実装されたメインＣＰＵ１６０や、電子部品１６７や、ＲＯＭ（図示せず）等は、視覚によりメイン制御基板ケース１４０の外側から容易に認識することができることから、これらは目に付きやすい。
【００９３】
このため、作業者は、メインＣＰＵ１６０や、電子部品１６７や、ＲＯＭ（図示せず）等に基づいて、メイン制御基板１４３を速やかに認識することができ、メイン制御基板ケース１４０を特定することができる。このように、メイン制御基板１４３等に不正な改造等が行われていないことを確認するための点検作業において、作業者は迷うことなく、速やかにメイン制御基板１４３が収納されているメイン制御基板ケース１４０を確認することができ、点検作業を効率よく行うことができる。このため、点検作業に係る時間が増加することを抑制することができ、効率よく点検作業を行うことができる。また、メイン制御基板ケース１４０とサブ制御基板ケース２４０とは、近接して配置されているが、作業者はこれらを誤ることなく、速やかに認識することができる。
【００９４】
また、作業者は、メイン制御基板ケース１４０及びサブ制御基板ケース２４０をそれぞれ表面側であるカバー部１４２側及びカバー部２４２側から点検した後、これらをそれぞれ展開位置に回動して、メイン制御基板ケース１４０及びサブ制御基板ケース２４０の裏側面であるベース部１４１側及びベース部２４１側から点検する。この裏側面からの点検の際は、すでに、作業者はメイン制御基板ケース１４０及びサブ制御基板ケース２４０の区別がついている。したがって、ベース部１４１及びベース部２４１のいずれもが、無色透明であっても問題はない。また、ベース部１４１及びベース部２４１が無色透明であることから、メイン制御基板ケース１４０及びサブ制御基板ケース２４０における裏側面からの点検は、メイン制御基板ケース１４０の内部及びサブ制御基板ケース２４０の内部を見やすく、容易に行うことができる。
【００９５】
また、メイン制御基板ケース１４０の裏側及びサブ制御基板ケース２４０の裏側は、展開位置であっても、筺体本体１０ａの外からの光が照射されにくいが、ベース部１４１及びベース部２４１が無色透明であることから、容易に点検できる。
【００９６】
また、本実施形態１に係る遊技機１０によれば、サブ制御基板ケース２４０の表側であるカバー部２４２が黒色系であり目立たないことから、作業者はサブ制御基板ケース２４０よりも先にメイン制御基板ケース１４０が目に付いて、メイン制御基板ケース１４０を先に点検することとなる場合もある。つまり、作業者は、速やかに、メイン制御基板ケース１４０を見つけることができる。これにより、点検作業の時間が増加することを抑制でき、効率よく点検を行うことができる。なお、カバー部２４２は、黒色系でなくても目立ちにくい色や形状としてもよい。
【００９７】
サブ制御基板ケース２４０の構成について、図面を用いてさらに詳細に説明する。図１４は、本発明の実施形態１に係るサブ制御基板ケースの構成を示す分解斜視図である。
【００９８】
図１４に示すように、サブ制御基板ケース２４０は、内部にサブ制御基板２４３を収納し、ベース部２４１及びカバー部２４２が組み合わされて連結（接合）され、一体化されて構成されている。つまり、サブ制御基板ケース２４０は、サブ制御基板２４３の両主面を、それぞれベース部２４１及びカバー部２４２で覆うようにして構成されている。カバー部２４２及びメイン制御基板２４３は、図示していないネジによりネジ止めされて固定される。また、カバー部２４２、サブ制御基板２４３及びベース部２４１はネジ２４８ａによりネジ止めされて固定される。
【００９９】
サブ制御基板２４３には、電子部品２６７及びコネクタ２４５ａ、２４５ｂ等が設置されている。電子部品２６７は、電子回路を構成する抵抗やコンデンサ等の素子である。コネクタ２４５ａ、２４５ｂは、サブ制御基板２４３の外部と電気信号を送受信するためのものである。なお、サブ制御基板２４３上には、実装された電子部品を電気的に接続するための配線が施され、電子部品２６７以外にも電子素子等が実装されているが、図示は省略している。
【０１００】
カバー部２４２には、サブ制御基板２４３に形成されたコネクタ２４５ａ、２４５ｂを外部に露出するためのコネクタ孔２４６ａ、２４６ｂが形成されている。コネクタ孔２４６ａ、２４６ｂからコネクタ２４５ａ、２４５ｂが露出することにより、外部から電気信号を送受信するための電線等とコネクタ２４５ａ、２４５ｂとを連結することができる。
【０１０１】
次に、サブ制御基板ケース２４０とケース支持部２１０との連結構造及びこれらの背板１０ｃへの設置構造について、図面を用いて説明する。図１５は、本発明の実施形態１に係るケース支持部とサブ制御基板ケースとの構成を示す分解斜視図である。
【０１０２】
図１５に示すように、ケース支持部２１０には、取付ネジ２１６によって背板１０ｃの設置面３７にネジ止めされるための２つの貫通孔２２６が形成されている。また、ケース支持部２１０には、カバー２１３を取り付けるためのネジ穴２１９が形成されている。また、ケース支持部２１０において、２つの貫通孔２２６それぞれの上下には、２つの蝶番２１２を取り付けるためのネジ穴２２５ａ、２２５ｂが、形成されている。
【０１０３】
サブ制御基板ケース２４０の取付板２１１には、カバー２２３を取り付けるためのネジ穴２２９が形成されている。また、取付板２１１には、２つの蝶番２１２を取り付けるためのネジ穴２２５ｃ、２２５ｄが形成されている。
【０１０４】
サブ制御基板ケース２４０とケース支持部２１０とを連結するには、まず、ケース支持部２１０を設置面３７に設置する。具体的には、貫通孔２２６を通すことにより、ケース支持部２１０を貫通して取付ネジ２１６を設置面３７にネジ止めする。これにより、ケース支持部２１０が設置面３７に固定される。取付ネジ２１６が貫通している貫通孔２２６を覆うように蝶番２１２を配置し、蝶番用ネジ２１５ａ、２１５ｂを蝶番２１２の孔２２２ａ、２２２ｂに通してネジ穴２２５ａ、２２５ｂに螺合させる。これにより、取付ネジ２１６が蝶番２１２に覆われて外部に露呈しないことから、蝶番２１２をケース支持部２１０からはずさなければ取付ネジ２１６をはずすことが困難となる。
【０１０５】
ケース支持部２１０に蝶番２１２を取り付けた状態で、蝶番用ネジ２１５ａ、２１５ｂを覆うようにカバー２１３をケース支持部２１０に設置し、カバー用ネジ２１７をカバー２１３に形成された窪み部２１４ａに貫通させてネジ穴２１９に螺合させる。これにより、封印カバー１１３がケース支持部１１０に固定される。
【０１０６】
蝶番２１２は、取付板２１１にも取り付けられる。具体的には、蝶番用ネジ２１５ｃ、２１５ｄを蝶番２１２の孔２２２ｃ、２２２ｄに通してネジ穴２２５ｃ、２２５ｄに螺合させる。そして、取付板２１１に蝶番２１２を取り付けた状態で、蝶番用ネジ２１５ｃ、２１５ｄを覆うようにカバー２２３を取付板２１１に設置し、カバー用ネジ２２７をカバー２２３に形成された窪み部２２４ａに貫通させてネジ穴２２９に螺合させる。これにより、カバー２２３が取付板２１１に固定される。
【０１０７】
以上、メイン制御基板ユニット１００及びサブ制御基板ユニット２００について、詳細に説明した。上述したように、筺体本体１０ａ内において、これらは互いに隣接して設置されており、メイン制御基板ユニット１００は左側に、サブ制御基板ユニット２００は右側に配置されている。つまり、メイン制御基板ユニット１００は前扉１０ｂ寄りに配置され、サブ制御基板ユニット２００は前扉１０ｂから離れて配置されている。ここで、前扉１０ｂは筺体本体１０ａの左側に開くことから、筺体本体１０ａ内の左側の方が右側に比べて前扉１０ｂに遮られることにより外光が照射されにくいといえる。上述したように、サブ制御基板ケース２４０のカバー部２４２は黒色系であり、メイン制御基板ユニット１００のカバー部１４２に比べて内部の視認性が低いが、このように、筺体本体１０ａ内において、メイン制御基板ユニット１００は左側に、サブ制御基板ユニット２００は右側に配置されていることから、サブ制御基板ケース２４０のカバー部２４２からのサブ制御基板ケース２４０内部の視認性の低さが緩和される。
【０１０８】
また、メイン制御基板ケース１４０において回転軸１２８は左側に位置している。このため、メイン制御基板ケース１４０が展開位置にある場合は、メイン制御基板ユニット１００に対して右側の位置の方が、左側の位置に比べて筺体本体１０ａの外からの光が照射
されやすい。したがって、メイン制御基板ユニット１００の右側に配置されているサブ制御基板ユニット２００には光が照射されやすい。上述したように、サブ制御基板ケース２４０のカバー部２４２は黒色系であり、メイン制御基板ユニット１００のカバー部１４２に比べて内部の視認性が低いが、このように、筺体本体１０ａ内において、メイン制御基板ユニット１００は左側に、サブ制御基板ユニット２００は右側に配置されていることから、サブ制御基板ケース２４０のカバー部２４２からのサブ制御基板ケース２４０内部の視認性の低さが緩和される。
【０１０９】
以上、メイン制御基板ユニット１００及びサブ制御基板ユニット２００の構成を中心に、本実施形態１に係る遊技機１０について説明した。上述したように、実施形態１に係る遊技機１０によれば、前扉１０ｂを開けて、筺体本体１０ａ内を点検する際に、不正行為が行われる可能性の高いメイン制御基板ケース１４０を速やかに見つけることができ、点検作業の時間が増加することを抑制できる。また、遊技機１０によれば、作業者が、メイン制御基板ユニット１００に形成された材質情報１３２及びカシメ情報１３３ａ、１３３ｂを見間違えにくいことから、作業効率の低下を抑制できる。
【０１１０】
なお、本実施形態１に係る遊技機１０の構成は、上記構成に限定されるわけではなく、この他の構成でもかまわない。例えば、カシメ情報１３３ａ、１３３ｂと、材質情報１３２とが、近接して構成されていてもよい。このような場合であっても、作業者は、カシメ情報１３３ａ、１３３ｂと、材質情報１３２と、を間違えにくい。ここで、このような構成について、図面を用いて説明する。図１６は、本発明の実施形態１に係る別の形態のメイン制御基板ケースが展開位置にある場合のメイン制御基板ユニットの外観構成を示す斜視図である。
【０１１１】
図１６に示すように、材質情報（材質文字情報）１３２ｂが、カシメ情報１３３ａ、１３３ｂ及び封印キャップ１２４ａ、１２４ｂの近傍に配置されている。なお、図１６において、上記実施形態１に係る構成との相違点は、材質情報１３２の代わりに材質情報１３２ｂがメイン制御基板ケース１４０（カバー部１４２）に形成されている点であり、その他の構成は上記実施形態１に係る構成と同一である。また、材質情報１３２ｂは、材質情報１３２とはメイン制御基板ケース１４０（カバー部１４２）における配置が異なるが、それ以外は材質情報１３２と同じである。具体的には、材質情報１３２ｂは、メイン制御基板ケース１４０（カバー部１４２）がＰＣにより構成されていることを示すための「ＰＣ」の文字であり、刻印によりカバー部１４２に形成されている。そして、材質情報１３２ｂは、メイン制御基板ケース１４０の裏側（ベース部１４１側）から見た場合に正しく認識できるように形成されている。そのため、カバー部１４２側から（表側から）材質情報１３２ｂを見た場合は、左右反転した「Ｐ」の文字と「Ｃ」の文字として認識される。つまり、メイン制御基板ユニット１００を表側から見た場合に、これら「Ｐ」の文字と「Ｃ」の文字は、いずれも左右反転しているように認識できるように形成されている。
【０１１２】
図１６に示すような構成である場合には、材質情報１３２ｂが、カシメ情報１３３ａ、１３３ｂや封印キャップ１２４ａ、１２４ｂの近傍に配置されている。このような構成であっても、材質情報１３２ｂは、メイン制御基板ユニット１００を表側から見た場合に、左右反転した「Ｐ」の文字と「Ｃ」の文字として認識されるように形成されているのに対して、カシメ情報１３３ａ及びカシメ情報１３３ｂは、メイン制御基板ユニット１００を表側から見た場合に、正しく「Ｂ」の文字及び「Ｃ」の文字として形成されている。これにより、同じ「Ｃ」の文字であっても、材質情報１３２ｂであるか、カシメ情報１３３ｂであるかを誤ることが防止される。
【０１１３】
また、カシメ情報１３３ａ、１３３ｂは封印カバー１２３に形成されているが、材質情報１３２ｂと同様にカバー部１４２に形成されていてもよい。つまり、カシメ情報１３３ａ、１３３ｂと、材質情報１３２ｂと、が同一の部材に形成されていてもよい。ここで、カシメ情報１３３ａ、１３３ｂは、カシメ構造の位置を示すものであることから、封印キャップ１２４ａ、１２４ｂの近傍にある必要がある。したがって、このように、カシメ情報１３３ａ、１３３ｂがカバー部１４２に形成されている場合は、材質情報１３２ｂと、カシメ情報１３３ａ、１３３ｂと、が近接して配置されることになる。このような場合であっても、上述したように、材質情報１３２ｂは、メイン制御基板ユニット１００を表側から見た場合に、左右反転した「Ｐ」の文字と「Ｃ」の文字として認識されるように形成されているのに対して、カシメ情報１３３ａ及びカシメ情報１３３ｂは、メイン制御基板ユニット１００を表側から見た場合に、正しく「Ｂ」の文字及び「Ｃ」の文字として形成されていることから、作業者は、材質情報１３２ｂと、カシメ情報１３３ａ、１３３ｂと、を区別して認識でき、誤って認識することが抑制される。
【０１１４】
なお、上述したように、材質情報１３２、１３２ｂは、メイン制御基板ユニット１００を表側から見た場合に、左右反転した文字として認識されるように形成されているのに対して、カシメ情報１３３ａ及びカシメ情報１３３ｂは、メイン制御基板ユニット１００を表側から見た場合に、正しい文字として形成されている。ここで、例えば、図１６に示すように、メイン制御基板ケース１４０が展開位置にある場合において、メイン制御基板ユニット１００を表側から見た場合とは、メイン制御基板ケース１４０のカバー部１４２側から見た状態である。つまり、左側からメイン制御基板ケース１４０を見た状態をいう。また、メイン制御基板ユニット１００を裏側から見た場合とは、メイン制御基板ケース１４０のベース部１４１側から見た状態である。つまり、右側からメイン制御基板ケース１４０を見た状態をいう。
【０１１５】
また、本実施形態１に係る遊技機１０において、さらに別の形態として、材質情報１３２が、取付板１１１に形成されている構成であってもよい。なお、取付板１１１はベース部１４１と一体であるので、この場合の材質情報１３２はベース部１４１の材質であるＰＣを示すこととなる。ここで、このような構成について、図面を用いて説明する。図１７は、本発明の実施形態１に係るさらに別の形態のケース支持部とメイン制御基板ケースとの構成を示す分解斜視図である。また、図１８は、図１７に示す分解斜視図における各部品が組み合わされた際の拡大正面図であって、図１８（ａ）は取付板の拡大正面図であり、図１８（ｂ）は材質情報が形成された周辺の拡大正面図である。
【０１１６】
図１７に示すように、材質情報（材質文字情報）１３２ｃが、取付板１１１に形成されて、かつ、封印カバー１２３にも材質情報（材質文字情報）１３２ｄが形成されている。このような点が、上記実施形態１に係る構成と相違し、その他の構成は上記実施形態１に係る構成と同一である。ここで、取付板１１１はベース部１４１の一部であり、材質情報１３２ｃが形成されていることにより、ベース部１４１がＰＣにより構成されていることが示されている。また、材質情報１３２ｄが形成されていることにより、封印カバー１２３もＰＣにより構成されていることが示されている。具体的には、材質情報１３２ｃ及び材質情報１３２ｄは、それぞれ、取付板１１１及び封印カバー１２３に刻印により形成されている。そして、材質情報１３２ｃ及び１３２ｄは、いずれも、メイン制御基板ケース１４０の裏側（ベース部１４１側）から見た場合に正しく認識できるように形成されている。そのため、カバー部１４２側から（表側から）材質情報１３２ｃ及び１３２ｄを見た場合は、左右反転した「Ｐ」の文字と「Ｃ」の文字として認識される。つまり、メイン制御基板ユニット１００を表側から見た場合に、これら「Ｐ」の文字と「Ｃ」の文字は、いずれも左右反転しているように認識できるように形成されている。
【０１１７】
なお、上述したように、封印カバー１２３についても熱可塑性樹脂であるＰＣにより構成されている。また、封印カバー１２３もメイン制御基板ケース１４０と同様に無色透明である。したがって、メイン制御基板ケース１４０の表側（カバー部１４２側）から封印カバー１２３を見た場合に、奥側（後側）に位置する取付板１１１も封印カバー１２３を通して見えることとなる。
【０１１８】
図１７で示した分解斜視図における各部品が組み合わされた状態では、上述したように封印カバー１２３が無色透明であることから、図１８（ａ）及び図１８（ｂ）に示すように、封印カバー１２３を介して、封印カバー１２３の奥側（後側）に位置する蝶番１１２や取付板１１１の一部を視認可能である。この際、材質情報１３２ｃ及び材質情報１３２ｄの一部が重複して見えるように、材質情報１３２ｃ及び材質情報１３２ｄが配置されている。具体的には、特に図１８（ｂ）に示すように、材質情報１３２ｃ及び材質情報１３２ｄの一部が重複することにより、これらを認識しにくいように配置されている。これにより、作業者は材質情報１３２ｃ及び材質情報１３２ｄを認識にしにくいのに対して、カシメ情報１３３ａ、１３３ｂは容易に認識できることから、材質情報１３２ｃ及び材質情報１３２ｄと、カシメ情報１３３ａ、１３３ｂと、を間違えることが抑制される。特に、カシメ情報１３３ｂである「Ｃ」の文字と、材質情報１３２ｃ及び材質情報１３２ｄそれぞれの「Ｃ」の文字と、を間違えて認識することが抑制される。
【０１１９】
また、作業者が材質情報１３２ｃ、１３２ｄを確認する場合は、一般的に、遊技機１０の各部品を廃棄する際であり、部品ごとに分離されている状態である。したがって、作業者は、材質情報１３２ｃ、１３２ｄが重複した状態で、これらを確認するわけではないことから、材質情報１３２ｃ、１３２ｄを、容易に正しく認識することができる。なお、メイン制御基板ケース１４０の表側（カバー部１４２側）から見た場合に、材質情報１３２ｃ及び材質情報１３２ｄが認識されにくいように配置されていることが好ましいことから、これらの一部が重複するように配置されていて、材質情報１３２ｃ及び材質情報１３２ｄを認識することが困難であることが好ましい。ただし、材質情報１３２ｃ及び材質情報１３２ｄが完全に一致するように重複している場合であっても、メイン制御基板ケース１４０の表側（カバー部１４２側）から見た場合に「ＰＣ」の左右反転した文字として認識されるため、カシメ情報１３３ａ、１３３ｂと、間違えることが抑制される。
【０１２０】
また、材質情報１３２ｃ及び材質情報１３２ｄは一部が重複して両方が認識しにくいことから、メイン制御基板ユニット１００を表側から見た場合に、材質情報１３２ｃ及び材質情報１３２ｄの「ＰＣ」との文字は左右反転しておらず、正しく見えるように形成されていてもよい。これらは、正しく見えるように形成されていても、一部が重複して配置されることから、材質情報１３２ｃ及び材質情報１３２ｄを認識しにくいことから、カシメ情報１３３ａ、１３３ｂと間違えることが抑制される。
【０１２１】
また、材質情報１３２ｃ及び材質情報１３２ｄが形成される位置は、図１７、１８に示す位置に限定されるわけではないが、カシメ情報１３３ａ、１３３ｂと区別できる位置に形成されることが好ましい。例えば、メイン制御基板ユニット１００の表側から封印カバー１２３を見た場合に、カシメ情報１３３ａ、１３３ｂと、材質情報１３２ｃと、が重複するような位置に材質情報１３２ｃが形成されていないことが好ましい。つまり、メイン制御基板ケース１４０が第１保持状態にあるときに、取付板１１１において、カシメ情報１３３ａ又はカシメ情報１３３ｂの形成位置からｙ軸方向正側の位置に材質情報１３２ｃが形成されていないことが好ましい。このような場合は、作業者がメイン制御基板ユニット１００を表側から見た場合に、カシメ情報１３３ａ、１３３ｂと、材質情報１３２ｃとが重複して見えることから、これらを認識しにくいためである。ただし、カシメ情報１３３ａ又はカシメ情報１３３ｂの形成位置からｙ軸方向正側の位置に材質情報１３２ｃが形成されていたとしても、蝶番１１２等の不透明な部材がこれらの間に存在する場合（例えば、取付板１１１に形成された材質情報１３２ｃが蝶番１１２等に覆われている場合）は、カシメ情報１３３ａ又はカシメ情報１３３ｂと材質情報１３２ｃとが重複して見えることがないことから、このような配置であってもかまわない。つまり、メイン制御基板ユニット１００において、カシメ情報１３３ａ、１３３ｂが形成された部材である封印カバー１２３と、作業者が封印カバー１２３を表側から見た場合に作業者の視線の方向（メイン制御基板ケース１４０が第１保持位置にある場合のｙ軸に沿った方向）において封印カバー１２３と少なくとも一部が重なる部材である取付板１１１と、を有し、作業者が封印カバー１２３を表側から見た場合に、カシメ情報１３３ａ、１３３ｂと、取付板１１１に形成された材質情報１３２ｃと、が重複することがないことが好ましい。
【０１２２】
また、例えば、蝶番１１２等の一般的には不透明である部材が、透明の樹脂等により構成されている場合は、取付板１１１において蝶番１１２等により覆われる位置に材質情報１３２ｃが形成されていたとしても、メイン制御基板ケース１４０の表側（カバー部１４２側）から封印カバー１２３を見た場合に、材質情報１３２ｃが見えることとなるため、この場合は、カシメ情報１３３ａ、１３３ｂと重複して見えないような位置に材質情報１３２ｃが配置されることが好ましい。また、封印カバー１２３において、この材質情報１３２ｃと一部が重複して見えるように材質情報１３２ｄが形成され、材質情報１３２ｃ及び材質情報１３２ｄが認識しにくいことが好ましい。
【０１２３】
なお、メイン制御基板ユニット１００及びサブ制御基板ユニット２００が設置される位置は、上述したように、背板１０ｃに限定されるわけではない。例えば、基板ケース１００及びサブ制御基板ユニット２００が隣接して配置されていればよく、基板ケース１００及びサブ制御基板ユニット２００のいずれもが筺体本体１０ａ内部の側板に配置されていてもよい。また、基板ケース１００及びサブ制御基板ユニット２００の一方は側板に設置され、他方は背板１０ｃに設置されてもよい。
【０１２４】
（実施形態２）
上述したように、本実施形態１に係る遊技機１０において、メイン制御基板ユニット１００（メイン制御基板ケース１４０）及びサブ制御基板ユニット２００（サブ制御基板ケース２４０）は、それぞれ別体であり、メイン制御基板ケース１４０の回転軸１２８及びサブ制御基板ケース２４０の回転軸２２８は異なっていた。しかし、これらメイン制御基板ケース１４０及びサブ制御基板ケース２４０の回転軸が同一である構成としてもよい。本実施形態２に係る遊技機において、メイン制御基板ケース及びサブ制御基板ケースは、同一の回転軸を有する構成である。
【０１２５】
本実施形態２に係るメイン制御基板ユニット及びサブ制御基板ユニットの構造について、図面を用いて説明する。図１９は、本発明の実施形態２に係るメイン制御基板ユニット及びサブ制御基板ユニットの外観構成を示す斜視図である。また、図２０は、本発明の実施形態２に係るメイン制御基板ケース及びサブ制御基板ケースが展開位置にある場合の外観構成を示す斜視図である。
【０１２６】
図１９及び図２０に示すように、メイン制御基板ケース（基板ケース）３４０及びサブ制御基板ケース（サブ制御基板ケース）４４０が一体となっており、これらが一体の状態でケース支持部３１０及びケース支持部４１０に対して回動可能である。また、ケース支持部３１０及びケース支持部４１０の回転軸は、いずれも回転軸３２８である。なお、ケース支持部３１０及びケース支持部４１０は、遊技機１０の背板１０ｃである設置面３７に固定設置されており、メイン制御基板ケース３４０及びサブ制御基板ケース４４０は設置面３７に対して回動可能である。なお、このような構成のメイン制御基板ケース３４０及びサブ制御基板ケース４４０を備える場合は、背板１０ｃにおいて上下方向にある程度のスペースを必要とすることから、リールユニット３５は前扉１０ｂ側に設置されている構成の遊技機１０とすることが好ましい。
【０１２７】
メイン制御基板ユニット（基板ユニット）３００は、ケース支持部３１０及びメイン制御基板ケース３４０を備えている。また、サブ制御基板ユニット（サブ制御基板ユニット）４００は、ケース支持部４１０及びサブ制御基板ケース４４０を備えている。そして、メイン制御基板ケース３４０及びサブ制御基板ケース４４０は上下方向に並んで隣接して、近接配置されており、これらは一体として構成されている。なお、サブ制御基板ケース４４０は、メイン制御基板ケース３４０よりも下方に位置することとなるため、メイン制御基板ケース３４０に比べて、筺体本体１０ａ内部の天板から離れて位置することとなる。背板１０ｃにおいて、天板に近いほど筺体本体１０ａの外部からの光が天板に遮られることとなる。したがって、下方に位置するサブ制御基板ケース４４０の方が、メイン制御基板ケース３４０よりも多くの光が照射されることとなる。後述するように、サブ制御基板ケース４４０のカバー部４４２は黒色系であることから、カバー部４４２側からサブ制御基板ケース４４０内部を見た場合に視認性が比較的低いが、多くの光が照射されることとなるため、サブ制御基板ケース４４０のカバー部４４２からのサブ制御基板ケース４４０内部の視認性の低さが緩和される。
【０１２８】
ケース支持部３１０及びケース支持部４１０は、それぞれ設置面３７に固定設置されている。また、ケース支持部３１０は蝶番３１２によりメイン制御基板ケース３４０と連結されており、ケース支持部３１０に対してメイン制御基板ケース３４０は回動可能である。また、ケース支持部４１０は蝶番４１２によりサブ制御基板ケース４４０と連結されており、ケース支持部４１０に対してサブ制御基板ケース４４０は回動可能である。なお、メイン制御基板ケース３４０及びサブ制御基板ケース４４０は一体であることから、メイン制御基板ケース３４０及びサブ制御基板ケース４４０はケース支持部３１０及びケース支持部４１０に対して回動可能である。また、蝶番３１２及び蝶番４１２により、メイン制御基板ケース３４０及びサブ制御基板ケース４４０は、共通の回転軸３２８により回動する。
【０１２９】
メイン制御基板ケース３４０は、ベース部３４１及びカバー部３４２が組み合わされて連結（接合）され、一体化されて構成されている。なお、図示していないが、メイン制御基板ケース３４０内にはメイン制御基板が収納されている。メイン制御基板ケース３４０において、ベース部３４１は裏側でありカバー部３４２は表側に位置する。これらベース部３４１及びカバー部３４２は無色透明の熱可塑性樹脂により構成されている。また、メイン制御基板ケース３４０にはベース部３４１及びカバー部３４２を分離させてメイン制御基板ケース３４０を容易に開放できないようにするカシメ構造であるカシメ部（第２規制部）３２４ａ、３２４ｂが設けられており、カシメ部３２４ａ、３２４ｂの近傍にはこれらの位置を示すカシメ情報（規制部文字情報）３３３ａ、３３３ｂがカバー部３４２に形成されている。また、図示は省略しているが、メイン制御基板ケース３４０が背板１０ｃから分離できないようにするカシメ構造もメイン制御基板ユニット３００には設けられており、このカシメ構造の近傍にはカシメ構造を示すカシメ情報が形成されている。
【０１３０】
また、カバー部３４２には、材質を示す材質情報（材質文字情報）３３２も形成されている。なお、カバー部３４２の材質はＰＣである。また、カシメ情報３３３ａ、３３３ｂはメイン制御基板ユニット３００の表側から見て「Ｂ」及び「Ｃ」の文字が正しく見えるように形成されており、材質情報３３２はメイン制御基板ユニット３００の表側から見て「ＰＣ」の文字が左右反転して見えるように形成されている。
【０１３１】
サブ制御基板ケース４４０は、ベース部（サブ制御基板ケース裏側部材）４４１及びカバー部（サブ制御基板ケース表側部材）４４２が組み合わされて連結（接合）され、一体化されて構成されている。なお、図示していないが、サブ制御基板ケース４４０内にはサブ制御基板が収納されている。サブ制御基板ケース４４０において、ベース部４４１は裏側でありカバー部４４２は表側に位置する。また、ベース部４４１は無色透明の熱可塑性樹脂により構成されていて、カバー部３４２は透明の熱可塑性樹脂により構成されているが黒色系である。なお、ベース部３４１及びベース部４４１は一体で（一つの部品として）製造されており、一体のベース部３４１及びベース部４４１に対してカバー部３４２及びカバー部４４２のそれぞれが組み合わされて連結（接合）されることにより、一体であるメイン制御基板ケース３４０及びサブ制御基板ケース４４０が構成されることとしてもよい。
【０１３２】
メイン制御基板ケース３４０及びサブ制御基板ケース４４０において、図１９に示す状態が保持位置であり、図２０に示す状態が展開位置である。保持位置において、メイン制御基板ケース３４０の裏側であるベース部３４１側と、サブ制御基板ケース４４０の裏側であるベース部４４１側と、が設置面３７に対向して近接配置されて露出されていない状態である。つまり、メイン制御基板ケース３４０及びサブ制御基板ケース４４０が設置面３７に対して対向し、設置面３７と略平行である。また、メイン制御基板ケース３４０及びサブ制御基板ケース４４０を保持位置から回動させて、ベース部３４１及びベース部４４１が露出された状態が展開位置である。具体的には、メイン制御基板ケース３４０及びサブ制御基板ケース４４０が、設置面３７に対して略９０度の角度となった位置が展開位置である。
【０１３３】
本実施形態２に係る遊技機１０において、上記以外の構成は本実施形態１に係る遊技機１０の構成と同様である。本実施形態２に係る遊技機１０によれば、前扉１０ｂを開けて、筺体本体１０ａ内を点検する際に、メイン制御基板ケース３４０を速やかに見つけることができ、点検作業の時間が増加することを抑制できる。また、遊技機１０によれば、作業者が、メイン制御基板ユニット３００に形成された材質情報３３２及びカシメ情報３３３ａ、３３３ｂを見間違えにくいことから、作業効率の低下を抑制できる。
【０１３４】
また、本実施形態２に係る遊技機１０において、上述したように、メイン制御基板ケース３４０及びサブ制御基板ケース４４０それぞれの回転軸３２８は同一である。このような構成において、サブ制御基板ケース４４０の裏側面からメイン制御基板ケース３４０へと配線を不正に追加することにより不正行為が行われる可能性がある。しかし、メイン制御基板ケース３４０のベース部３４１及びサブ制御基板ケース４４０のベース部４４１はいずれも無色透明であることから、作業者が、メイン制御基板ケース３４０及びサブ制御基板ケース４４０を展開位置として、メイン制御基板ケース３４０及びサブ制御基板ケース４４０の裏側を確認することにより、このような不正行為は容易に発見することができる。なお、点検の際に作業者は、メイン制御基板ケース３４０及びサブ制御基板ケース４４０を展開位置まで回動させなくてもよく、メイン制御基板ケース３４０及びサブ制御基板ケース４４０の裏側面が露出して、これらの裏側面を確認できる程度に回動させればよい。
【０１３５】
なお、本実施形態２において、メイン制御基板ケース３４０及びサブ制御基板ケース４４０は一体であるとしたが、これに限定されるわけではない。メイン制御基板ケース３４０及びサブ制御基板ケース４４０が分離されており、互いに独立して回動が可能であることとしてもよい。
【０１３６】
本発明は、以上説明した実施の形態に限定されるものではなく、他のいろいろな形で実施することができる。そのため、かかる実施の形態はあらゆる点で単なる例示にすぎず、限定的に解釈してはならない。本発明の範囲は請求の範囲によって示すものであって、明細書本文には、なんら拘束されない。さらに、請求の範囲の均等範囲に属する変形や変更は、全て本発明の範囲内のものである。
【符号の説明】
【０１３７】
１０      遊技機                          １０ａ    筺体本体
１０ｂ    前扉                            ３７      設置面
１００    メイン制御基板ユニット          １２４ａ、１２４ｂ  封印キャップ
１３２、１３２ａ〜１３２ｄ  材質情報      １３３ａ、１３３ｂ  カシメ情報
１３５    封印シール                      １３６ａ、１３６ｂ  カシメ情報
１３７ａ、１３７ｂ  押出ピン跡            １３８    カシメ情報
１４０    メイン制御基板ケース            １４１    ベース部
１４２    カバー部                        １４３    メイン制御基板
１４４    カシメピン                      １４９    カシメピン挿入部
２００    サブ制御基板ユニット            ２４０    サブ制御基板ケース
２４１    ベース部                        ２４２    カバー部
２４３    サブ制御基板                    ３００    メイン制御基板ユニット
３２４ａ、３２４ｂ  カシメ部              ３３２    材質情報
３３３ａ、３３３ｂ  カシメ情報            ３４０    メイン制御基板ケース
３４１    ベース部                        ３４２    カバー部
４００    サブ制御基板ユニット            ４４０    サブ制御基板ケース
４４１      ベース部                      ４４２    カバー部
【要約】      （修正有）【課題】材質を示す表記と、カシメ構造を示す表記とが、見間違えられることを抑制する遊技機を提供する。【解決手段】メイン制御基板ユニット１００の主要部分は熱可塑性樹脂により構成され、メイン制御基板ユニット１００はメイン制御基板を内部に収納するメイン制御基板ケース１４０を有し、メイン制御基板ユニット１００はカシメ構造を有し、カシメ構造を示すカシメ情報１３３ａ、１３３ｂ及びカシメ情報１３８がカシメ構造の周辺に形成され、メイン制御基板ユニット１００の材質を示す材質情報１３２が、メイン制御基板ユニット１００に形成され、カシメ情報１３３ａ、１３３ｂ、１３８及び材質情報１３２は互いに同じ文字を少なくとも１つ有し、メイン制御基板ユニット１００を表側から見た場合に、カシメ情報１３３ａ、１３３ｂ、１３８は正しく見えるように形成され、材質情報１３２は左右反転して見えるように形成されている。【選択図】図３【図１】
0006868920.tif 000002
【図２】
0006868920.tif 000003
【図３】
0006868920.tif 000004
【図４】
0006868920.tif 000005
【図５】
0006868920.tif 000006
【図６】
0006868920.tif 000007
【図７】
0006868920.tif 000008
【図８】
0006868920.tif 000009
【図９】
0006868920.tif 000010
【図１０】
0006868920.tif 000011
【図１１】
0006868920.tif 000012
【図１２】
0006868920.tif 000013
【図１３】
0006868920.tif 000014
【図１４】
0006868920.tif 000015
【図１５】
0006868920.tif 000016
【図１６】
0006868920.tif 000017
【図１７】
0006868920.tif 000018
【図１８】
0006868920.tif 000019
【図１９】
0006868920.tif 000020
【図２０】
0006868920.tif 000021